(57)【特許請求の範囲】
【請求項１】
２またはそれ以上のネットワーク間での複数のアドレス・アクセスを可能にすることを容易にする方法であって、
第１のネットワークまたは第２のネットワークを介してユーザ機器と通信するホーム・エージェントが、前記ホーム・エージェントへのプロキシ・モバイル・インターネット・プロトコル（ＰＭＩＰ）登録を用いて、前記ＵＥを、前記第１のネットワークへアタッチさせることと、
前記ホーム・エージェントが、前記第１のネットワークの登録を維持しながら、前記ホーム・エージェントへのＰＭＩＰ登録を用いて、前記ＵＥを前記第２のネットワークへアタッチさせることと、
前記ホーム・エージェントが、トラッキング・エリア登録が期限切れか否かを判定することと、
前記トラッキング・エリア登録が期限切れではない場合、前記ホーム・エージェントにネットワーク・ゲートウェイＩＰアドレスが既に登録されていることを利用して、前記ＵＥが、前記第１のネットワークと前記第２のネットワークとの間で、シグナリングが生成されないモードであるアイドル・モードで移動できるようになることと、
前記ＵＥが存在するネットワークのゲートウェイが、前記ＵＥへ向けられたダウンリンク・データ・パケット、あるいは、前記ＵＥからのアップリンク・データ・パケットのうちの少なくとも１つであるデータの一部を受信することと、
前記ＵＥが存在するネットワークのゲートウェイが、前記ＵＥへ、前記データの一部を送信することとを備え、
前記ＵＥが存在するネットワークは、前記ＵＥからの受信されたアクティブ・モード・インジケーション、あるいは、前記ＵＥからの受信されたページ応答のうちの少なくとも１つによって識別される方法。
【請求項２】
前記データの一部が前記ダウンリンク・データ・パケットである場合、さらに、
前記第１のネットワークおよび前記第２のネットワークのページャが、前記第１のネットワークおよび前記第２のネットワークにおいて前記ＵＥをページすることと、
前記第１のネットワークまたは前記第２のネットワークのうちの１つに存在するＵＥから、前記ＵＥが存在するネットワークのページャが、前記ページ応答を受信することと、
前記ページ応答が受信されたネットワーク内のＵＥへ、前記ＵＥが存在するネットワークのゲートウェイが、前記ダウンリンク・データ・パケットを送信することと
を備える請求項１に記載の方法。
【請求項３】
前記データの一部が前記アップリンク・データ・パケットである場合、さらに、
前記第１のネットワークまたは前記第２のネットワークのうちの１つに存在するＵＥから、前記ホーム・エージェントが、前記アクティブ・モード・インジケーションを受信することと、
前記ホーム・エージェントが、前記アクティブ・モード・インジケーションが受信されたネットワーク内のＵＥと通信することと
を備える請求項１に記載の方法。
【請求項４】
前記第１のネットワークは、３Ｇネットワークであり、前記第２ネットワークは、ＣＤＭＡ２０００ネットワークである請求項１に記載の方法。
【請求項５】
前記第１のネットワークおよび前記第２のネットワークは、３Ｇネットワーク、ＣＤＭＡ２０００ネットワーク、およびＵＭＴＳネットワークの組み合わせである請求項１に記載の方法。
【請求項６】
前記ホーム・エージェントのアドレス・マネジャが、前記第１のネットワークおよび前記第２のネットワークへの前記ＵＥのアタッチメント、および、前記ホーム・エージェントへの登録に基づいて、追加のシグナリングなしで、前記第１のネットワークまたは前記第２のネットワークのうちの少なくとも１つ内でアイドル・モードにある前記ＵＥを、全体にわたってトラックすることをさらに備える請求項１に記載の方法。
【請求項７】
前記アクティブ・モード・インジケーションまたは前記ページ応答のうちの少なくとも１つを受信すると、前記ＵＥが存在するネットワークのゲートウェイが、プロキシ・バインディング更新（ＰＢＵ）を前記ホーム・エージェントへ送信することをさらに備える請求項１に記載の方法。
【請求項８】
前記ＵＥが存在するネットワークのゲートウェイが、前記ＵＥからアイドル・モード・インジケーションを受信すると、前記ホーム・エージェントへＰＢＵを送信することをさらに備える請求項７に記載の方法。
【請求項９】
前記第１のネットワークおよび前記第２のネットワークは、３ＧＰＰアクセス・ネットワークあるいは非３ＧＰＰアクセス・ネットワークのうちの少なくとも１つである請求項１に記載の方法。
【請求項１０】
ＰＭＩＰプロトコルは、前記ホーム・エージェントとゲートウェイとの間で有効である請求項９に記載の方法。
【請求項１１】
３ＧＰＰパケット・データ・ネットワーク・ゲートウェイ（ＰＤＮ  ＧＷ）にＰＭＩＰホーム・エージェントが含まれる請求項１０に記載の方法。
【請求項１２】
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである請求項１１に記載の方法。
【請求項１３】
第１のネットワークまたは第２のネットワークを介してユーザ機器（ＵＥ）と通信する通信装置であって、
前記ＵＥの前記通信装置へのプロキシ・モバイル・インターネット・プロトコル（ＰＭＩＰ）登録を用いて、前記ＵＥを、前記第１のネットワークへアタッチさせ、
前記第１のネットワークの登録を維持しながら、前記通信装置へのＰＭＩＰ登録を用いて、前記ＵＥを前記第２のネットワークへアタッチさせ、
前記ＵＥへ向けられたダウンリンク・データ・パケット、あるいは、前記ＵＥからのアップリンク・データ・パケットのうちの少なくとも１つであるデータの一部を受信し、
トラッキング・エリア登録が期限切れか否かを判定し、
前記トラッキング・エリア登録が期限切れではない場合、前記通信装置にネットワーク・ゲートウェイＩＰアドレスが既に登録されていることを利用して、前記ＵＥが、前記第１のネットワークと前記第２のネットワークとの間で、シグナリングが生成されないモードであるアイドル・モードで移動できるようにし、
前記第１のネットワークまたは前記第２のネットワークのうちの１つに存在する前記ＵＥへ、前記データの一部を送信する
ように構成された少なくとも１つのプロセッサを備え、
前記ＵＥが存在するネットワークは、前記ＵＥからの受信されたアクティブ・モード・インジケーション、あるいは、前記ＵＥからの受信されたページ応答のうちの少なくとも１つによって識別され、
前記通信装置はさらに、前記少なくとも１つのプロセッサに接続されたメモリを備える通信装置。
【請求項１４】
前記少なくとも１つのプロセッサは、前記データの一部が前記ダウンリンク・データ・パケットである場合、
前記第１のネットワークおよび前記第２のネットワークにおいて前記ＵＥをページし、
前記第１のネットワークまたは前記第２のネットワークのうちの１つに存在するＵＥから、前記ページ応答を受信し、
前記ページ応答が受信されたネットワーク内のＵＥへ、前記ダウンリンク・データ・パケットを送信する
ように構成された請求項１３に記載の通信装置。
【請求項１５】
前記少なくとも１つのプロセッサは、前記データの一部が前記アップリンク・データ・パケットである場合、さらに、
前記第１のネットワークまたは前記第２のネットワークのうちの１つに存在するＵＥから、前記アクティブ・モード・インジケーションを受信し、
前記アクティブ・モード・インジケーションが受信されたネットワーク内のＵＥと通信する
ように構成された請求項１３に記載の通信装置。
【請求項１６】
前記第１のネットワークは、３Ｇネットワークであり、前記第２ネットワークは、ＣＤＭＡ２０００ネットワークである請求項１３に記載の通信装置。
【請求項１７】
前記第１のネットワークおよび前記第２のネットワークは、３Ｇネットワーク、ＣＤＭＡ２０００ネットワーク、およびＵＭＴＳネットワークの組み合わせである請求項１３に記載の通信装置。
【請求項１８】
前記少なくとも１つのプロセッサはさらに、前記第１のネットワークおよび前記第２のネットワークへの前記ＵＥのアタッチメント、および、前記通信装置への登録に基づいて、追加のシグナリングなしで、前記第１のネットワークまたは前記第２のネットワークのうちの少なくとも１つ内でアイドル・モードにあるＵＥを、全体にわたってトラックするように構成された請求項１３に記載の通信装置。
【請求項１９】
前記少なくとも１つのプロセッサが、前記アクティブ・モード・インジケーションまたは前記ページ応答のうちの少なくとも１つを受信すると、プロキシ・バインディング更新（ＰＢＵ）が前記通信装置へ送信される、請求項１３に記載の通信装置。
【請求項２０】
前記少なくとも１つのプロセッサが、前記ＵＥからアイドル・モード・インジケーションを受信すると、前記通信装置へＰＢＵが送信される、請求項１９に記載の通信装置。
【請求項２１】
前記第１のネットワークおよび前記第２のネットワークは、３ＧＰＰアクセス・ネットワークあるいは非３ＧＰＰアクセス・ネットワークのうちの少なくとも１つである請求項１３に記載の通信装置。
【請求項２２】
ＰＭＩＰプロトコルは、前記通信装置とゲートウェイとの間で有効である請求項２１に記載の通信装置。
【請求項２３】
３ＧＰＰパケット・データ・ネットワーク・ゲートウェイ（ＰＤＮ  ＧＷ）にＰＭＩＰホーム・エージェントが含まれる請求項２２に記載の通信装置。
【請求項２４】
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである請求項２３に記載の通信装置。
【請求項２５】
第１のネットワークまたは第２のネットワークを介してユーザ機器（ＵＥ）と通信する通信装置であって、
前記ＵＥの前記通信装置へのプロキシ・モバイル・インターネット・プロトコル（ＰＭＩＰ）登録を用いて、前記ＵＥを、第１のネットワークへアタッチさせる手段と、
前記第１のネットワークの登録を維持しながら、前記通信装置へのＰＭＩＰ登録を用いて、前記ＵＥを第２のネットワークへアタッチさせる手段と、
トラッキング・エリア登録が期限切れか否かを判定する手段と、
前記トラッキング・エリア登録が期限切れではない場合、前記通信装置にネットワーク・ゲートウェイＩＰアドレスが既に登録されていることを利用して、前記ＵＥが、前記第１のネットワークと前記第２のネットワークとの間で、シグナリングが生成されないモードであるアイドル・モードで移動できるようにする手段と、
前記ＵＥへ向けられたダウンリンク・データ・パケット、あるいは、前記ＵＥからのアップリンク・データ・パケットのうちの少なくとも１つであるデータの一部を受信する手段と、
前記第１のネットワークまたは前記第２のネットワークのうちの１つに存在する前記ＵＥへ、前記データの一部を送信する手段とを備え、
前記ＵＥが存在するネットワークは、前記ＵＥからの受信されたアクティブ・モード・インジケーション、あるいは、前記ＵＥからの受信されたページ応答のうちの少なくとも１つによって識別される、通信装置。
【請求項２６】
前記データの一部が前記ダウンリンク・データ・パケットである場合、さらに、
前記第１のネットワークおよび前記第２のネットワークにおいて前記ＵＥをページする手段と、
前記第１のネットワークまたは前記第２のネットワークのうちの１つに存在するＵＥから、前記ページ応答を受信する手段と、
前記ページ応答が受信されたネットワーク内のＵＥへ、前記ダウンリンク・データ・パケットを送信する手段と
を備える請求項２５に記載の通信装置。
【請求項２７】
前記データの一部が前記アップリンク・データ・パケットである場合、さらに、
前記第１のネットワークまたは前記第２のネットワークのうちの１つに存在するＵＥから、前記アクティブ・モード・インジケーションを受信する手段と、
前記アクティブ・モード・インジケーションが受信されたネットワーク内のＵＥと通信する手段と
を備える請求項２５に記載の通信装置。
【請求項２８】
前記第１のネットワークは、３Ｇネットワークであり、前記第２ネットワークは、ＣＤＭＡ２０００ネットワークである請求項２５に記載の通信装置。
【請求項２９】
前記第１のネットワークおよび前記第２のネットワークは、３Ｇネットワーク、ＣＤＭＡ２０００ネットワーク、およびＵＭＴＳネットワークの組み合わせである請求項２５に記載の通信装置。
【請求項３０】
前記第１のネットワークおよび前記第２のネットワークへの前記ＵＥのアタッチメント、および、前記通信装置への登録に基づいて、追加のシグナリングなしで、前記第１のネットワークまたは前記第２のネットワークのうちの少なくとも１つ内でアイドル・モードにあるＵＥを、全体にわたってトラックする手段をさらに備える請求項２５に記載の通信装置。
【請求項３１】
前記アクティブ・モード・インジケーションまたは前記ページ応答のうちの少なくとも１つを受信すると、プロキシ・バインディング更新（ＰＢＵ）が前記通信装置へ送信される、請求項２５に記載の通信装置。
【請求項３２】
前記ＰＢＵは、前記ＵＥが存在しないネットワークに関するＰＭＩＰ登録を削除する請求項３１に記載の通信装置。
【請求項３３】
前記ＵＥからアイドル・モード・インジケーションを受信すると、前記通信装置へＰＢＵが送信される、請求項３２に記載の通信装置。
【請求項３４】
前記ＰＢＵは、前記ＵＥが存在しないネットワークに関するＰＭＩＰ登録を追加する請求項３３に記載の通信装置。
【請求項３５】
前記第１のネットワークおよび前記第２のネットワークは、３ＧＰＰアクセス・ネットワークあるいは非３ＧＰＰアクセス・ネットワークのうちの少なくとも１つである請求項２５に記載の通信装置。
【請求項３６】
ＰＭＩＰプロトコルは、前記通信装置とゲートウェイとの間で有効である請求項３５に記載の通信装置。
【請求項３７】
３ＧＰＰパケット・データ・ネットワーク・ゲートウェイ（ＰＤＮ  ＧＷ）にＰＭＩＰホーム・エージェントが含まれる請求項３６に記載の通信装置。
【請求項３８】
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである請求項３７に記載の通信装置。
【請求項３９】
コンピュータ読取可能な記録媒体であって、
コンピュータに対して、ユーザ機器（ＵＥ）に関連するホーム・エージェントへのプロキシ・モバイル・インターネット・プロトコル（ＰＭＩＰ）登録を用いて、前記ＵＥを、第１のネットワークへアタッチさせるためのコードと、
前記コンピュータに対して、前記第１のネットワークの登録を維持しながら、前記ホーム・エージェントへのＰＭＩＰ登録を用いて、前記ＵＥを第２のネットワークへアタッチさせるためのコードと、ここで、前記ホーム・エージェントは、前記第１のネットワークまたは前記第２のネットワークを介して前記ＵＥと通信するように構成されている、
前記コンピュータに対して、トラッキング・エリア登録が期限切れか否かを判定させるためのコードと、
前記コンピュータに対して、前記トラッキング・エリア登録が期限切れではない場合、前記ホーム・エージェントにネットワーク・ゲートウェイＩＰアドレスが既に登録されていることを利用して、前記ＵＥが、前記第１のネットワークと前記第２のネットワークとの間で、シグナリングが生成されないモードであるアイドル・モードで移動できるようにさせるためのコードと、
前記コンピュータに対して、前記ＵＥへ向けられたダウンリンク・データ・パケット、あるいは、前記ＵＥからのアップリンク・データ・パケットのうちの少なくとも１つであるデータの一部を受信させるためのコードと、
前記コンピュータに対して、前記第１のネットワークまたは前記第２のネットワークのうちの１つに存在する前記ＵＥへ、前記データの一部を送信させるためのコードと
を記録し、
前記ＵＥが存在するネットワークは、前記ＵＥからの受信されたアクティブ・モード・インジケーション、あるいは、前記ＵＥからの受信されたページ応答のうちの少なくとも１つによって識別される、コンピュータ読取可能な記録媒体。
【請求項４０】
前記データの一部が前記ダウンリンク・データ・パケットである場合、
前記コンピュータに対して、前記第１のネットワークおよび前記第２のネットワークにおいて前記ＵＥをページさせるためのコードと、
前記コンピュータに対して、前記第１のネットワークまたは前記第２のネットワークのうちの１つに存在するＵＥから、前記ページ応答を受信させるためのコードと、
前記コンピュータに対して、前記ページ応答が受信されたネットワーク内のＵＥへ、前記ダウンリンク・データ・パケットを送信させるためのコードと
をさらに記録した、請求項３９に記載のコンピュータ読取可能な記録媒体。
【請求項４１】
前記データの一部が前記アップリンク・データ・パケットである場合、
前記コンピュータに対して、前記第１のネットワークまたは前記第２のネットワークのうちの１つに存在するＵＥから、前記アクティブ・モード・インジケーションを受信させるためのコードと、
前記コンピュータに対して、前記アクティブ・モード・インジケーションが受信されたネットワーク内のＵＥと通信させるためのコードと
をさらに記録した、請求項３９に記載のコンピュータ読取可能な記録媒体。
【請求項４２】
前記第１のネットワークは、３Ｇネットワークであり、前記第２ネットワークは、ＣＤＭＡ２０００ネットワークである、請求項３９に記載のコンピュータ読取可能な記録媒体。
【請求項４３】
前記第１のネットワークおよび前記第２のネットワークは、３Ｇネットワーク、ＣＤＭＡ２０００ネットワーク、およびＵＭＴＳネットワークの組み合わせである、請求項３９に記載のコンピュータ読取可能な記録媒体。
【請求項４４】
前記コンピュータに対して、前記第１のネットワークおよび前記第２のネットワークへの前記ＵＥのアタッチメント、および、前記ホーム・エージェントへの登録に基づいて、追加のシグナリングなしで、前記第１のネットワークまたは前記第２のネットワークのうちの少なくとも１つ内でアイドル・モードにある前記ＵＥを、全体にわたってトラックさせるためのコードをさらにさらに記録した、請求項３９に記載のコンピュータ読取可能な記録媒体。
【請求項４５】
前記コンピュータに対して、前記アクティブ・モード・インジケーションまたは前記ページ応答のうちの少なくとも１つを受信すると、プロキシ・バインディング更新（ＰＢＵ）を前記ホーム・エージェントへ送信させるためのコードをさらに記録した、請求項３９に記載のコンピュータ読取可能な記録媒体。
【請求項４６】
前記コンピュータに対して、前記ＵＥからアイドル・モード・インジケーションを受信すると、前記ホーム・エージェントへＰＢＵを送信させるためのコードをさらに記録した、請求項４５に記載のコンピュータ読取可能な記録媒体。
【請求項４７】
前記第１のネットワークおよび前記第２のネットワークは、３ＧＰＰアクセス・ネットワークあるいは非３ＧＰＰアクセス・ネットワークのうちの少なくとも１つである、請求項３９に記載のコンピュータ読取可能な記録媒体。
【請求項４８】
ＰＭＩＰプロトコルは、前記ホーム・エージェントとゲートウェイとの間で有効である、請求項４７に記載のコンピュータ読取可能な記録媒体。
【請求項４９】
３ＧＰＰパケット・データ・ネットワーク・ゲートウェイ（ＰＤＮ  ＧＷ）にＰＭＩＰホーム・エージェントが含まれる、請求項４８に記載のコンピュータ読取可能な記録媒体。
【請求項５０】
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである、請求項４９に記載のコンピュータ読取可能な記録媒体。
【請求項５１】
２またはそれ以上のネットワークにわたるアイドル・モード移動を容易にする方法であって、
ホーム・エージェントが、第１のネットワークにアタッチするための第１のプロキシ・モバイル・インターネット・プロトコル（ＰＭＩＰ）要求を、前記第１のネットワーク内のユーザ機器（ＵＥ）から受信することと、
前記ホーム・エージェントが、前記第１のＰＭＩＰ要求に基づいて、第１のネットワーク・ゲートウェイＩＰアドレスを用いて、このＵＥを登録することと、
前記ホーム・エージェントが、第２のネットワークにアタッチするための第２のＰＭＩＰ要求を、前記第２のネットワーク内の前記ＵＥから受信することと、
前記ホーム・エージェントが、前記第２のＰＭＩＰ要求に基づいて、第２のネットワーク・ゲートウェイＩＰアドレスを用いて、このＵＥを登録することと、ここで、前記ホーム・エージェントは、前記第１のネットワークまたは前記第２のネットワークを介して前記ＵＥと通信するように構成されている、
前記ホーム・エージェントが、トラッキング・エリア登録が期限切れか否かを判定することと、
前記トラッキング・エリア登録が期限切れではない場合、前記ホーム・エージェントにネットワーク・ゲートウェイＩＰアドレスが既に登録されていることにより、前記ＵＥがアイドル・モード中であっても登録解除しないようにすることにより、再登録することなく、前記ＵＥが、前記第１のネットワークと前記第２のネットワークとの間でアイドル・モードを実行できるようにしたことと
を備える方法。
【請求項５２】
前記ホーム・エージェントが、前記第１のネットワーク内の第１のネットワーク・ゲートウェイ、および、前記第２のネットワーク内の第２のネットワーク・ゲートウェイへ、データの一部を通信することをさらに備え、
前記データの一部は、前記ＵＥへ向けられたダウンリンク・パケットが受信されると通信される、請求項５１に記載の方法。
【請求項５３】
前記ホーム・エージェントが、前記第１のネットワーク・ゲートウェイＩＰアドレスと、前記第２のネットワーク・ゲートウェイＩＰアドレスとを、前記ホーム・エージェント内のバインディング・キャッシュ内に格納することをさらに備える、請求項５２に記載の方法。
【請求項５４】
前記ホーム・エージェントが、ソース・アドレスを備えたプロキシ・バインディング更新（ＰＢＵ）を受信することをさらに備え、
前記ＰＢＵは、前記ＰＢＵのソース・アドレスを除いて、前記ホーム・エージェント内のバインディング・キャッシュ内のネットワーク・ゲートウェイＩＰアドレスを削除するワイルド・カード削除命令を含む請求項５３に記載の方法。
【請求項５５】
前記ホーム・エージェントが、アップリンク・データの一部、あるいは、ダウンリンク・データの一部のうちの少なくとも１つを、前記ＰＢＵによって定義されたネットワーク・ゲートウェイＩＰアドレスを用いて、前記ＵＥとの間で通信することをさらに備える、請求項５４に記載の方法。
【請求項５６】
前記第１のネットワークは、３Ｇネットワークであり、前記第２のネットワークは、ＣＤＭＡ２０００ネットワークである請求項５１に記載の方法。
【請求項５７】
前記第１のネットワークおよび前記第２のネットワークは、３Ｇネットワーク、ＣＤＭＡ２０００ネットワーク、およびＵＭＴＳネットワークの組み合わせである請求項５１に記載の方法。
【請求項５８】
前記第１のネットワークは、ＵＭＴＳネットワークであり、前記第２のネットワークは、ＣＤＭＡ２０００ネットワークである請求項５１に記載の方法。
【請求項５９】
前記第１のネットワークおよび前記第２のネットワークは、３ＧＰＰアクセス・ネットワークあるいは非３ＧＰＰアクセス・ネットワークのうちの少なくとも１つである請求項５１に記載の方法。
【請求項６０】
ゲートウェイと前記ホーム・エージェントとの間でＰＭＩＰプロトコルが有効とされる請求項５９に記載の方法。
【請求項６１】
３ＧＰＰパケット・データ・ネットワーク・ゲートウェイ（ＰＤＮ  ＧＷ）にＰＭＩＰホーム・エージェントが含まれる請求項６０に記載の方法。
【請求項６２】
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである請求項６１に記載の方法。
【請求項６３】
第１のネットワークまたは第２のネットワークを介してユーザ機器（ＵＥ）と通信するように構成された通信装置であって、
前記第１のネットワークにアタッチするための第１のプロキシ・モバイル・インターネット・プロトコル（ＰＭＩＰ）要求を、前記第１のネットワーク内のＵＥから受信し、
前記第１のＰＭＩＰ要求に基づいて、第１のネットワーク・ゲートウェイＩＰアドレスを用いて、前記ＵＥを登録し、
前記第２のネットワークにアタッチするための第２のＰＭＩＰ要求を、前記第２のネットワーク内のＵＥから受信し、
前記第２のＰＭＩＰ要求に基づいて、第２のネットワーク・ゲートウェイＩＰアドレスを用いて、このＵＥを登録し、
トラッキング・エリア登録が期限切れか否かを判定し、
前記トラッキング・エリア登録が期限切れではない場合、ネットワーク・ゲートウェイＩＰアドレスが既に登録されていることにより、前記ＵＥがアイドル・モード中であっても登録解除しないようにすることにより、再登録することなく、前記ＵＥが、前記第１のネットワークと前記第２のネットワークとの間でアイドル・モードを実行できるようにする
ように構成された少なくとも１つのプロセッサと、
前記少なくとも１つのプロセッサに接続されたメモリと
を備える通信装置。
【請求項６４】
前記第１のネットワーク内の第１のネットワーク・ゲートウェイ、および、前記第２のネットワーク内の第２のネットワーク・ゲートウェイへ、データの一部を通信するように構成された少なくとも１つのプロセッサをさらに備え、
前記データの一部は、前記ＵＥへ向けられたダウンリンク・パケットが受信されると通信される請求項６３に記載の通信装置。
【請求項６５】
前記第１のネットワーク・ゲートウェイＩＰアドレスと、前記第２のネットワーク・ゲートウェイＩＰアドレスとを、前記通信装置内のバインディング・キャッシュ内に格納するように構成された少なくとも１つのプロセッサをさらに備える請求項６３に記載の通信装置。
【請求項６６】
ソース・アドレスを備えたプロキシ・バインディング更新（ＰＢＵ）を受信するように構成された少なくとも１つのプロセッサをさらに備え、
前記ＰＢＵは、前記ＰＢＵのソース・アドレスを除いて、前記通信装置内のバインディング・キャッシュ内のネットワーク・ゲートウェイＩＰアドレスを削除するワイルド・カード削除命令を含む請求項６５に記載の通信装置。
【請求項６７】
アップリンク・データの一部、あるいは、ダウンリンク・データの一部のうちの少なくとも１つを、前記ＰＢＵによって定義されたネットワーク・ゲートウェイＩＰアドレスを用いて、前記通信装置と前記ＵＥとの間で通信するように構成された少なくとも１つのプロセッサをさらに備える請求項６６に記載の通信装置。
【請求項６８】
前記第１のネットワークは、３Ｇネットワークであり、前記第２ネットワークは、ＣＤＭＡ２０００ネットワークである請求項６３に記載の通信装置。
【請求項６９】
前記第１のネットワークおよび前記第２のネットワークは、３Ｇネットワーク、ＣＤＭＡ２０００ネットワーク、およびＵＭＴＳネットワークの組み合わせである請求項６３に記載の通信装置。
【請求項７０】
前記第１のネットワークは、ＵＭＴＳネットワークであり、前記第２のネットワークは、ＣＤＭＡ２０００ネットワークである請求項６３に記載の通信装置。
【請求項７１】
前記第１のネットワークおよび前記第２のネットワークは、３ＧＰＰアクセス・ネットワークあるいは非３ＧＰＰアクセス・ネットワークのうちの少なくとも１つである請求項６３に記載の通信装置。
【請求項７２】
ゲートウェイとの間でＰＭＩＰプロトコルが有効とされる請求項７１に記載の通信装置。
【請求項７３】
３ＧＰＰパケット・データ・ネットワーク・ゲートウェイ（ＰＤＮ  ＧＷ）にＰＭＩＰホーム・エージェントが含まれる請求項７２に記載の通信装置。
【請求項７４】
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである請求項７３に記載の通信装置。
【請求項７５】
第１のネットワークまたは第２のネットワークを介してユーザ機器（ＵＥ）と通信するように構成された通信装置であって、
前記第１のネットワークにアタッチするための第１のプロキシ・モバイル・インターネット・プロトコル（ＰＭＩＰ）要求を、前記第１のネットワーク内のＵＥから受信する手段と、
前記第１のＰＭＩＰ要求に基づいて、第１のネットワーク・ゲートウェイＩＰアドレスを用いて、前記ＵＥを登録する手段と、
前記第２のネットワークにアタッチするための第２のＰＭＩＰ要求を、前記第２のネットワーク内のＵＥから受信する手段と、
前記第２のＰＭＩＰ要求に基づいて、第２のネットワーク・ゲートウェイＩＰアドレスを用いて、このＵＥを登録する手段と、
トラッキング・エリア登録が期限切れか否かを判定する手段と、
前記トラッキング・エリア登録が期限切れではない場合、ネットワーク・ゲートウェイＩＰアドレスが既に登録されていることにより、前記ＵＥがアイドル・モード中であっても登録解除しないようにすることにより、再登録することなく、前記ＵＥが、前記第１のネットワークと前記第２のネットワークとの間でアイドル・モードを実行できるようにする手段と、
を備える通信装置。
【請求項７６】
前記第１のネットワーク内の第１のネットワーク・ゲートウェイ、および、前記第２のネットワーク内の第２のネットワーク・ゲートウェイへ、データの一部を通信する手段をさらに備え、
前記データの一部は、前記ＵＥへ向けられたダウンリンク・パケットが受信されると通信される請求項７５に記載の通信装置。
【請求項７７】
前記第１のネットワーク・ゲートウェイＩＰアドレスと、前記第２のネットワーク・ゲートウェイＩＰアドレスとを、前記通信装置内のバインディング・キャッシュ内に格納する手段をさらに備える請求項７６に記載の通信装置。
【請求項７８】
ソース・アドレスを備えたプロキシ・バインディング更新（ＰＢＵ）を受信する手段をさらに備え、
前記ＰＢＵは、前記ＰＢＵのソース・アドレスを除いて、前記通信装置内のバインディング・キャッシュ内のネットワーク・ゲートウェイＩＰアドレスを削除するワイルド・カード削除命令を含む請求項７７に記載の通信装置。
【請求項７９】
アップリンク・データの一部、あるいは、ダウンリンク・データの一部のうちの少なくとも１つを、前記ＰＢＵによって定義されたネットワーク・ゲートウェイＩＰアドレスを用いて、前記ＵＥとの間で通信することをさらに備える請求項７８に記載の通信装置。
【請求項８０】
前記第１のネットワークは、３Ｇネットワークであり、前記第２ネットワークは、ＣＤＭＡ２０００ネットワークである請求項７５に記載の通信装置。
【請求項８１】
前記第１のネットワークおよび前記第２のネットワークは、３Ｇネットワーク、ＣＤＭＡ２０００ネットワーク、およびＵＭＴＳネットワークの組み合わせである請求項７５に記載の通信装置。
【請求項８２】
前記第１のネットワークは、ＵＭＴＳネットワークであり、前記第２のネットワークは、ＣＤＭＡ２０００ネットワークである請求項７５に記載の通信装置。
【請求項８３】
前記第１のネットワークおよび前記第２のネットワークは、３ＧＰＰアクセス・ネットワークあるいは非３ＧＰＰアクセス・ネットワークのうちの少なくとも１つである請求項７５に記載の通信装置。
【請求項８４】
ゲートウェイとの間でＰＭＩＰプロトコルが有効とされる請求項８３に記載の通信装置。
【請求項８５】
３ＧＰＰパケット・データ・ネットワーク・ゲートウェイ（ＰＤＮ  ＧＷ）にＰＭＩＰホーム・エージェントが含まれる請求項８４に記載の通信装置。
【請求項８６】
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである請求項８５に記載の通信装置。
【請求項８７】
コンピュータ読取可能な記録媒体であって、
コンピュータに対して、第１のネットワークにアタッチするための第１のプロキシ・モバイル・インターネット・プロトコル（ＰＭＩＰ）要求を、前記第１のネットワーク内のユーザ機器（ＵＥ）から受信させるためのコードと、
前記コンピュータに対して、前記第１のＰＭＩＰ要求に基づいて、第１のネットワーク・ゲートウェイＩＰアドレスを用いて、前記ＵＥをホーム・エージェントに登録させるためのコードと、
前記コンピュータに対して、第２のネットワークにアタッチするための第２のＰＭＩＰ要求を、前記第２のネットワーク内の前記ＵＥから受信させるためのコードと、
前記コンピュータに対して、前記第２のＰＭＩＰ要求に基づいて、第２のネットワーク・ゲートウェイＩＰアドレスを用いて、前記ＵＥを前記ホーム・エージェントに登録させるためのコードと、ここで、前記ホーム・エージェントは、前記第１のネットワークまたは前記第２のネットワークを介して前記ＵＥと通信するように構成されている、
前記コンピュータに対して、トラッキング・エリア登録が期限切れか否かを判定させるためのコードと、
前記コンピュータに対して、前記トラッキング・エリア登録が期限切れではない場合、ネットワーク・ゲートウェイＩＰアドレスが既に登録されていることにより、前記ＵＥがアイドル・モード中であっても登録解除しないようにすることにより、再登録することなく、前記ＵＥが、前記第１のネットワークと前記第２のネットワークとの間でアイドル・モードを実行できるようにさせるためのコードと、
を記録したコンピュータ読取可能な記録媒体。
【請求項８８】
前記コンピュータに対して、前記第１のネットワーク内の第１のネットワーク・ゲートウェイ、および、前記第２のネットワーク内の第２のネットワーク・ゲートウェイへ、データの一部を通信させるためのコードをさらに備え、
前記データの一部は、前記ＵＥへ向けられたダウンリンク・パケットが受信されると通信される請求項８７に記載のコンピュータ読取可能な記録媒体。
【請求項８９】
前記コンピュータに対して、前記第１のネットワーク・ゲートウェイＩＰアドレスと、前記第２のネットワーク・ゲートウェイＩＰアドレスとを、前記ホーム・エージェント内のバインディング・キャッシュ内に格納させるためのコードをさらに備える、請求項８８に記載のコンピュータ読取可能な記録媒体。
【請求項９０】
前記少なくとも１つのコンピュータに対して、ソース・アドレスを備えたプロキシ・バインディング更新（ＰＢＵ）を受信させるためのコードをさらに備え、
前記ＰＢＵは、前記ＰＢＵのソース・アドレスを除いて、前記ホーム・エージェント内のバインディング・キャッシュ内のネットワーク・ゲートウェイＩＰアドレスを削除するワイルド・カード削除命令を含む請求項８９に記載のコンピュータ読取可能な記録媒体。
【請求項９１】
前記コンピュータに対して、アップリンク・データの一部、あるいは、ダウンリンク・データの一部のうちの少なくとも１つを、前記ＰＢＵによって定義されたネットワーク・ゲートウェイＩＰアドレスを用いて、前記ホーム・エージェントと前記ＵＥとの間で通信させるためのコードをさらに備える請求項９０に記載のコンピュータ読取可能な記録媒体。
【請求項９２】
前記第１のネットワークは、３Ｇネットワークであり、前記第２ネットワークは、ＣＤＭＡ２０００ネットワークである請求項８７に記載のコンピュータ読取可能な記録媒体。
【請求項９３】
前記第１のネットワークおよび前記第２のネットワークは、３Ｇネットワーク、ＣＤＭＡ２０００ネットワーク、およびＵＭＴＳネットワークの組み合わせである請求項８７に記載のコンピュータ読取可能な記録媒体。
【請求項９４】
前記第１のネットワークは、ＵＭＴＳネットワークであり、前記第２のネットワークは、ＣＤＭＡ２０００ネットワークである請求項８７に記載のコンピュータ読取可能な記録媒体。
【請求項９５】
前記第１のネットワークおよび前記第２のネットワークは、３ＧＰＰアクセス・ネットワークあるいは非３ＧＰＰアクセス・ネットワークのうちの少なくとも１つである請求項８７に記載のコンピュータ読取可能な記録媒体。
【請求項９６】
ゲートウェイと前記ホーム・エージェントとの間でＰＭＩＰプロトコルが有効とされる請求項９５に記載のコンピュータ読取可能な記録媒体。
【請求項９７】
３ＧＰＰパケット・データ・ネットワーク・ゲートウェイ（ＰＤＮ  ＧＷ）にＰＭＩＰホーム・エージェントが含まれる請求項９６に記載のコンピュータ読取可能な記録媒体。
【請求項９８】
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである請求項９７に記載のコンピュータ読取可能な記録媒体。
【発明の詳細な説明】
【関連出願に対する相互参照】
【０００１】
本願は、２００７年１１月１６日に出願された"IDLE MODE MOBILITY MANAGEMENT IN A MULTI-ACCESS SYSETM USING PMIP"と題された米国仮特許出願番号６０／９６５，０３３号の利益を主張する。上記出願の全体は、参照によって本明細書に組み込まれる。
【技術分野】
【０００２】
以下の記載は、一般に無線通信に関し、さらに詳しくは、マルチ・アクセス・システムおよび／またはネットワーク内のアイドル・モード管理に関する。
【背景技術】
【０００３】
無線通信システムは、さまざまなタイプの通信を提供するために広く開発された。例えば、音声および／またはデータは、そのような無線通信システムによって提供されうる。一般的な無線通信システム、すなわちネットワークは、１または複数の共有リソース（例えば帯域幅、送信電力等）へ複数のユーザ・アクセスを提供することができる。例えば、システムは、例えば周波数分割多重化（ＦＤＭ）、時分割多重化（ＴＤＭ）、符号分割多重化（ＣＤＭ）、直交周波数分割多重化（ＯＦＤＭ）等のようなさまざまな多元接続技術を使用することができる。
【０００４】
一般に、無線多元接続通信システムは、複数のモバイル・デバイスのための通信を同時にサポートすることができる。モバイル・デバイスはおのおの、順方向リンクおよび逆方向リンクでの送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。
【０００５】
無線通信システムはしばしば、有効範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効範囲領域内のモバイル・デバイスは、合成ストリームによって搬送される１つ、１つより多い、または全てのデータ・ストリームを受信するために適用されうる。同様に、モバイル・デバイスは、基地局あるいは他のモバイル・デバイスへデータを送信することができる。
【０００６】
無線通信システム内のエリア・トラッキングによって、ユーザ機器（例えば、モバイル・デバイス、モバイル通信装置、セルラ・デバイス、スマート・フォン等）のトラッキング・エリア位置を定義することが可能となる。一般に、ネットワークは、そのようなトラッキング・エリア位置をもって応答するユーザ機器（ＵＥ）に対して、要求またはページを行うことができる。これによって、ＵＥのトラッキング・エリア位置が、ネットワークに通信され、更新されるようになる。
【０００７】
複数のネットワークまたはシステム（例えば、３ＧＰＰ、非３ＧＰＰ、ＣＤＭＡ２０００等）にわたって、おのおののネットワークまたはシステムは、システム特有の方式で、アイドル・モード移動を実行する。一方、ページング・エリアおよびダウンリンク・パケット終了ノードは異なっており、システム特有である。おのおののネットワークまたはシステムは、特定の技術を含んでいるので、１つのシステムまたはネットワークから別のシステムまたはネットワークへ移動しているＵＥは一般に、ＵＥがそのシステムまたはネットワークへ以前属していたかに関わらず、フル・アタッチメント手順を実行する。例えば、第１のネットワークに入るＵＥは、フル・アタッチメント手順を実行しうる。ＵＥは、その後、第２のネットワークに移動すると、フル・アタッチメント手順を実行する。また、ＵＥが第１のネットワークに戻って来た場合、ＵＥは、再びフル・アタッチメント手順を実行するだろう。そのような従来の技術は、ＵＥバッテリ寿命および／またはシグナル・オーバヘッドの観点から非効率的である。
【発明の概要】
【０００８】
以下は、１または複数の実施形態の基本的な理解を提供するために、これら実施形態の簡単な概要を示す。この概要は、考えられる全ての実施形態の広範な概観ではなく、全ての実施形態の重要要素または決定的要素を特定することでもなく、任意または全ての実施形態の範囲を線引きすることも意図されていない。その唯一の目的は、１または複数の実施形態のいくつかの概念を、後に示されるより詳細な記載に対する前置きとして、より簡単な形式で表すことである。
【０００９】
１または複数の実施形態およびその対応する開示にしたがって、さまざまな態様が、ユーザ機器を２またはそれ以上のネットワークへアタッチさせること、および、登録することを容易にすることに関連して記載される。ここでは、おのおののネットワークが、特定かつ個別のアイドル・モード移動技術を用いる。このシステムおよび方法論によって、ユーザ機器（ＵＥ）は、アイドル・モードにありながら、無線ネットワーク間をシームレスに移動できるようになる。特に、アイドル・モードにあるＵＥは、再登録またはフル・アタッチメント手順を行うことなく、第１のネットワークから第２のネットワークへと接続することができる。
【００１０】
関連する態様によれば、本明細書では、２またはそれ以上のネットワーク間での複数のアドレス・アクセスを可能にすることを容易にする方法が記載される。この方法は、ユーザ機器（ＵＥ）に関連するホーム・エージェントへのプロキシ・モバイル・インターネット・プロトコル（ＰＭＩＰ）登録を用いて、ＵＥを第１のネットワークにアタッチさせることを含む。さらに、この方法は、第１のネットワークへの登録を維持しながら、ホーム・エージェントへのＰＭＩＰ登録を用いて、ＵＥを第２のネットワークへアタッチさせることを含む。さらに、この方法は、ＵＥが、第１のネットワークと第２のネットワークとの間を、アイドル・モードで移動できるようにすることを備えうる。ここで、アイドル・モードとは、シグナリングが生成されないモードである。この方法はさらに、データの一部を受信することを含みうる。データの一部は、ＵＥに向けられたダウンリンク・データ・パケット、あるいは、ＵＥからのアップリンク・データ・パケットのうちの少なくとも１つである。さらに、この方法は、第１のネットワークまたは第２のネットワークのうちの１つに存在するＵＥへ、データの一部を送信することを含む。ＵＥが存在するネットワークは、ＵＥからの受信されたアクティブ・モード・インジケーション、あるいは、ＵＥからの受信されたページ応答のうちの少なくとも１つによって識別される。
【００１１】
別の態様は、無線通信装置に関する。この無線通信装置は、ユーザ機器（ＵＥ）に関連するホーム・エージェントへのプロキシ・モバイル・インターネット・プロトコル（ＰＭＩＰ）登録を用いて、ＵＥを第１のネットワークへアタッチさせ、第１のネットワークの登録を維持しながら、ホーム・エージェントへのＰＭＩＰ登録を用いて、ＵＥを第２のネットワークへアタッチさせ、ＵＥへ向けられたダウンリンク・データ・パケット、あるいは、ＵＥからのアップリンク・データ・パケットのうちの少なくとも１つであるデータの一部を受信し、シグナリングが生成されないモードであるアイドル・モードにある間、ＵＥが、第１のネットワークと第２のネットワークとの間を移動することを可能にし、このデータの一部を、第１のネットワーク、あるいは第２のネットワークのうちの１つに存在するＵＥへ送信するように構成された少なくとも１つのプロセッサを含みうる。ここで、ＵＥが存在するネットワークは、ＵＥからの受信されたアクティブ・モード・インジケーション、あるいは、ＵＥからの受信されたページ応答のうちの少なくとも１つによって識別される。さらに、無線通信装置は、少なくとも１つのプロセッサに接続されたメモリを含みうる。
【００１２】
さらに別の態様は、２またはそれ以上のネットワーク間での複数のアドレス・アクセスを可能にする無線通信装置に関する。この無線通信装置は、ユーザ機器（ＵＥ）に関連するホーム・エージェントへのプロキシ・モバイル・インターネット・プロトコル（ＰＭＩＰ）登録を用いて、ＵＥを第１のネットワークへアタッチさせる手段を含みうる。さらに、この無線通信装置は、第１のネットワークの登録を維持しながら、ホーム・エージェントへのＰＭＩＰ登録を用いて、ＵＥを第２のネットワークへアタッチさせる手段を備えうる。さらに、無線通信装置は、シグナリングが生成されないモードであるアイドル・モードにある間、ＵＥが、第１のネットワークと第２のネットワークとの間を移動することを可能にする手段を備えうる。さらに、この無線通信装置は、ＵＥへ向けられたダウンリンク・データ・パケット、あるいは、ＵＥからのアップリンク・データ・パケットのうちの少なくとも１つであるデータの一部を受信する手段を備えうる。さらに、この無線通信装置は、このデータの一部を、第１のネットワーク、あるいは第２のネットワークのうちの１つに存在するＵＥへ送信する手段を備えうる。ここで、ＵＥが存在するネットワークは、ＵＥからの受信されたアクティブ・モード・インジケーション、あるいは、ＵＥからの受信されたページ応答のうちの少なくとも１つによって識別される。
【００１３】
また別の態様は、ユーザ機器（ＵＥ）に関連するホーム・エージェントへのプロキシ・モバイル・インターネット・プロトコル（ＰＭＩＰ）登録を用いて、ＵＥを第１のネットワークへアタッチさせ、第１のネットワークの登録を維持しながら、ホーム・エージェントへのＰＭＩＰ登録を用いて、ＵＥを第２のネットワークへアタッチさせ、ＵＥへ向けられたダウンリンク・データ・パケット、あるいは、ＵＥからのアップリンク・データ・パケットのうちの少なくとも１つであるデータの一部を受信し、シグナリングが生成されないモードであるアイドル・モードにある間、ＵＥが、第１のネットワークと第２のネットワークとの間を移動することを可能にし、このデータの一部を、第１のネットワーク、あるいは第２のネットワークのうちの１つに存在するＵＥへ送信する、ためのコードを格納しているコンピュータ読取可能媒体を備えるコンピュータ・プログラム製品に関する。ここで、ＵＥが存在するネットワークは、ＵＥからの受信されたアクティブ・モード・インジケーション、あるいは、ＵＥからの受信されたページ応答のうちの少なくとも１つによって識別される。
【００１４】
他の態様によれば、２またはそれ以上のネットワークにわたるアイドル・モード移動を容易にする方法である。この方法は、第１のネットワーク内のユーザ機器（ＵＥ）から、第１のネットワークへアタッチするための第１のプロキシ・モバイル・インターネット・プロトコル（ＰＭＩＰ）要求を受信することを備える。さらに、この方法は、第１のＰＭＩＰ要求に基づいて、ホーム・エージェント内の第１のネットワーク・ゲートウェイＩＰアドレスを用いてＵＥを登録することを備える。さらに、この方法は、第２のネットワークへアタッチするための第２のＰＭＩＰ要求を、第２のネットワーク内のユーザ機器（ＵＥ）から受信することを備える。さらに、この方法は、第２のＰＭＩＰ要求に基づいて、第２のネットワーク・ゲートウェイＩＰアドレスを用いて、ホーム・エージェント内にＵＥを登録することを備える。さらに、この方法は、アイドル・モード中におけるＵＥの再登録、あるいは、アイドル・モード中におけるＵＥの登録解除のうちの少なくとも１つを実行することなく、ＵＥが、第１のネットワークと第２のネットワークとの間でアイドル・モードを実行できるようにするために、第１のネットワーク・ゲートウェイＩＰアドレス、あるいは、第２のネットワーク・ゲートウェイＩＰアドレスのうちの少なくとも１つを利用することを含みうる。
【００１５】
別の態様は、無線通信装置に関する。この無線通信装置は、第１のネットワークへアタッチするための第１のプロキシ・モバイル・インターネット・プロトコル（ＰＭＩＰ）要求を、第１のネットワーク内のユーザ機器（ＵＥ）から受信し、第１のＰＭＩＰ要求に基づいて、ホーム・エージェント内の第１のネットワーク・ゲートウェイＩＰアドレスを用いてＵＥを登録し、第２のネットワークへアタッチするための第２のＰＭＩＰ要求を、第２のネットワーク内のＵＥから受信し、第２のＰＭＩＰ要求に基づいて、第２のネットワーク・ゲートウェイＩＰアドレスを用いて、ＵＥをホーム・エージェント内に登録し、アイドル・モード中におけるＵＥの再登録、あるいは、アイドル・モード中におけるＵＥの登録解除のうちの少なくとも１つを実行することなく、ＵＥが、第１のネットワークと第２のネットワークとの間でアイドル・モードを実行できるようにするために、第１のネットワーク・ゲートウェイＩＰアドレス、あるいは、第２のネットワーク・ゲートウェイＩＰアドレスのうちの少なくとも１つを利用するように構成された少なくとも１つのプロセッサを含みうる。さらに、無線通信装置は、少なくとも１つのプロセッサに接続されたメモリを含みうる。
【００１６】
別の態様は、２またはそれ以上のネットワークにわたってアイドル・モード移動を提供する無線通信装置に関する。この無線通信装置は、第１のネットワークへアタッチするための第１のプロキシ・モバイル・インターネット・プロトコル（ＰＭＩＰ）要求を、第１のネットワーク内のユーザ機器（ＵＥ）から受信する手段を備える。さらに、この無線通信装置は、第１のＰＭＩＰ要求に基づいて、ホーム・エージェント内の第１のネットワーク・ゲートウェイＩＰアドレスを用いてＵＥを登録する手段を備える。さらに、この無線通信装置は、第２のネットワークへアタッチするための第２のＰＭＩＰ要求を、第２のネットワーク内のＵＥから受信する手段を備える。さらに、この無線通信装置は、第２のＰＭＩＰ要求に基づいて、第２のネットワーク・ゲートウェイＩＰアドレスを用いて、ＵＥをホーム・エージェント内に登録する手段を備えうる。さらに、この無線通信装置は、アイドル・モード中におけるＵＥの再登録、あるいは、アイドル・モード中におけるＵＥの登録解除のうちの少なくとも１つを実行することなく、ＵＥが、第１のネットワークと第２のネットワークとの間でアイドル・モードを実行できるようにするために、第１のネットワーク・ゲートウェイＩＰアドレス、あるいは、第２のネットワーク・ゲートウェイＩＰアドレスのうちの少なくとも１つを利用する手段を備えうる。
【００１７】
さらに別の態様は、１つのコンピュータに対して、第１のネットワークへのアタッチするための第１のプロキシ・モバイル・インターネット・プロトコル（ＰＭＩＰ）要求を、第１のネットワーク内のユーザ機器（ＵＥ）から受信させ、第１のＰＭＩＰ要求に基づいて、ホーム・エージェント内の第１のネットワーク・ゲートウェイＩＰアドレスを用いてＵＥを登録させ、第２のネットワークへアタッチするための第２のＰＭＩＰ要求を、第２のネットワーク内のＵＥから受信させ、第２のＰＭＩＰ要求に基づいて、第２のネットワーク・ゲートウェイＩＰアドレスを用いて、ＵＥをホーム・エージェント内に登録させ、アイドル・モード中におけるＵＥの再登録、あるいは、アイドル・モード中におけるＵＥの登録解除のうちの少なくとも１つを実行することなく、ＵＥが、第１のネットワークと第２のネットワークとの間でアイドル・モードを実行できるようにするために、第１のネットワーク・ゲートウェイＩＰアドレス、あるいは、第２のネットワーク・ゲートウェイＩＰアドレスのうちの少なくとも１つを利用させるためのコンピュータ読取可能媒体を備えるコンピュータ・プログラム製品に関する。前述した目的および関連する目的を達成するために、１または複数の実施形態は、以下に十分説明され、特に特許請求の範囲で指摘される特徴を備える。以下の記載および関連する図面は、１または複数の実施形態のある例示的な態様を詳細に述べる。これらの態様は、さまざまな実施形態の原理が適用されるさまざまな方法のうちのほんのいくつかを示すのみであり、記載された実施形態は、そのような全ての態様およびそれらの等化物を含むことが意図される。
【図面の簡単な説明】
【００１８】
【図１】図１は、本明細書に記載されたさまざまな態様にしたがう無線通信システムの実例である。
【図２】図２は、無線通信環境内で適用されるホーム・エージェントの実例である。
【図３】図３は、２またはそれ以上のネットワーク内のユーザ機器にアイドル・モード移動を適用することを容易にする無線通信システムの実例である。
【図４】図４は、複数のアクセス・システムおよび／またはネットワーク内でユーザ機器をアイドルにすることを容易にする無線通信システムの実例である。
【図５】図５は、おのおのが特定かつ個別のアイドル・モード移動技術を利用する２またはそれ以上のネットワークへのユーザ機器のアタッチメントおよび登録を容易にする方法論の実例である。
【図６】図６は、複数のネットワーク間のシームレスかつ効率的なアイドル・モード移動を可能にするために、ホーム・エージェント内の複数のアドレスを用いてユーザ機器の登録を容易にする方法論の実例である。
【図７】図７は、本明細書に記載されたさまざまなシステムおよび方法と共に使用することができる無線ネットワーク環境の実例である。
【図８】図８は、おのおのが特定かつ個別のアイドル・モード移動技術を利用する２またはそれ以上のネットワークへのユーザ機器のアタッチメントおよび登録のためのシステムの実例である。
【図９】図９は、複数のネットワーク間でのシームレスかつ効率的なアイドル・モード移動を可能にするために、ホーム・エージェント内の複数のアドレスを用いてユーザ機器の登録を容易にするシステムの実例である。
【発明を実施するための形態】
【００１９】
さまざまな態様が、全体を通じて同一要素を示すために同一の参照番号が使用される図面を参照して説明される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、１または複数の態様の記載を容易にするために、周知の構成およびデバイスがブロック図形式で示される。
【００２０】
本願で使用されるように、用語「エージェント」、「マネジャ」、「ブロードキャスタ」、「ゲートウェイ」、「ページャ」、「トラッカ」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、さまざまなデータ構造を格納して有するさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２１】
本明細書に記載された技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングル・キャリア周波数分割多元接続（ＳＣ−ＦＤＭＡ）、およびその他のシステムのようなさまざまな無線通信システムに使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のような無線技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００、ＩＳ−９５規格、およびＩＳ−８５６規格をカバーする。ＴＤＭＡシステムは、例えばグローバル移動体通信システム（ＧＳＭ）のような無線技術を実施することができる。ＯＦＤＭＡシステムは、例えば発展型ＵＴＲＡ（Ｅ−ＵＴＲＡ）、超モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実施することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。
【００２２】
シングル・キャリア周波数分割多元接続（ＳＣ−ＦＤＭＡ）は、単一のキャリア変調および周波数領域等値化を利用する。ＳＣ−ＦＤＭＡは、ＯＦＤＭＡシステムと同様のパフォーマンスおよび全体的に実質的に同じ複雑さを有する。ＳＣ−ＦＤＭＡ信号は、固有のシングル・キャリア構造により、低いピーク対平均電力比（ＰＡＰＲ）を有する。ＳＣ−ＦＤＭＡは、例えば、低いＰＡＰＲが送信電力効率の観点からアクセス端末に大いに利益をもたらすアップリンク通信において使用される。したがって、ＳＣ−ＦＤＭＡは、３ＧＰＰロング・ターム・イボリューション（ＬＴＥ）またはイボルブドＵＴＲＡにおいてアップリンク多元接続スキームとして実現されうる。
【００２３】
さらに、さまざまな実施形態が、本明細書では、モバイル・デバイスに関して記載される。モバイル・デバイスはまた、システム、加入者ユニット、加入者局、モバイル局、モバイル、遠隔局、遠隔端末、モバイル・デバイス、ユーザ端末、無線通信デバイス、ユーザ・エージェント、ユーザ・デバイス、またはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して記載される。基地局は、モバイル・デバイスと通信するために利用され、また、アクセス・ポイント、ノードＢ、イボルブド・ノードＢ（ｅノードＢ）、またはその他幾つかの専門用語でも称されうる。
【００２４】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、またはメディアからアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２５】
図１に示すように、本明細書で示されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。２本のアンテナが各アンテナ・グループのために例示されているが、２本より多い、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２６】
基地局１０２は、例えばモバイル・デバイス１１６およびモバイル・デバイス１２２のような１または複数のモバイル・デバイスと通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６およびモバイル・デバイス１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２７】
通信するように指定された領域および／またはアンテナのおのおののグループは、基地局１０２のセクタと称されうる。例えば、基地局１０２によってカバーされる領域のセクタ内のモバイル・デバイスに通信するように、複数のアンテナが設計されうる。順方向リンク１１８および順方向リンク１２４による通信では、基地局１０２の送信アンテナは、モバイル・デバイス１１６およびモバイル・デバイス１２２のための順方向リンク１１８および順方向リンク１２４の信号対雑音比を改善するためにビームフォーミングを適用することができる。また、基地局１０２が、関連する有効範囲にランダムに散在したモバイル・デバイス１１６、１２２に送信するためにビームフォーミングを利用している間、近隣セル内のモバイル・デバイスは、全てのモバイル・デバイスに対して単一アンテナによって送信している基地局に比べて、少ない干渉しか被らない。
【００２８】
基地局１０２（および／または基地局１０２のおのおののセクタ）は、１または複数の多元接続技術（例えば、ＣＤＭＡ、ＴＤＭＡ、ＦＤＭＡ、ＯＦＤＭＡ等）を使用することができる。例えば、基地局１０２は、対応する帯域幅で、モバイル・デバイス（例えばモバイル・デバイス１１６およびモバイル・デバイス１２２）と通信するために特定の技術を利用することができる。さらに、１を超える技術が基地局１０２によって使用される場合、おのおのの技術は、それぞれの帯域幅に関連付けられる。本明細書に記載された技術は下記を含むことができる。グローバル・システム・フォー・モバイル（ＧＳＭ）、汎用パケット・ラジオ・サービス（ＧＰＲＳ）、エンハンスト・データ・レート・フォーＧＳＭイボリューション（ＥＤＧＥ）、ユニバーサル・モバイル・テレコミュニケーション・システム（ＵＭＴＳ）、広帯域符号分割多元接続（Ｗ−ＣＤＭＡ）、ｃｄｍａＯｎｅ（ＩＳ−９５）、ＣＤＭＡ２０００、イボリューション・データ・オプティマイズド（ＥＶ−ＤＯ）、超モバイル・ブロードバンド（ＵＭＢ）、ワールドワイド・インタオペラビリティ・フォー・マイクロウェーブ・アクセス（ＷｉＭＡＸ）、ＭｅｄｉａＦＬＯ、デジタル・マルチメディア・ブロードキャスティング（ＤＭＢ）、デジタル・ビデオ・ブロードキャスティング−ハンドヘルド（ＤＶＢ−Ｈ）等。上記技術のリストは、例として与えられ、特許請求される主題はそれに限定されず、むしろ、実質的に任意の無線通信技術が、特許請求の範囲内にあることが意図されていると認識されるべきである。
【００２９】
基地局１０２は、第１の技術を用いて、第１の帯域幅を使用することができる。さらに、基地局１０２は、第１の技術に対応するパイロットを、第２の帯域幅で送信することができる。実例によれば、任意の第２の技術を用いる通信のために、基地局１０２および／またはその他任意の基地局（図示せず）によって、第２の帯域幅が導入されうる。さらに、パイロットは、（例えば、第２の技術を用いて通信するモバイル・デバイスへ）第１の技術の存在を示すことができる。例えば、パイロットは、第１の技術の存在に関する情報を伝送するためにビットを使用することができる。さらに、例えば、第１の技術を利用するセクタのＳｅｃｔｏｒＩＤ、第１の周波数帯幅を示すＣａｒｒｉｅｒＩｎｄｅｘ等のような情報が、パイロットに含まれうる。
【００３０】
別の例によれば、パイロットは、ビーコン（および／またはビーコンのシーケンス）になりえる。電力の大部分が、１つのサブキャリアまたは２〜３のサブキャリア（例えば、少数のサブキャリア）で送信される場合、ビーコンは、ＯＦＤＭシンボルでありうる。したがって、ビーコンは、帯域幅の狭い部分においてデータと干渉しながら（例えば、帯域幅の残りの部分は、ビーコンによって影響を受けない）、モバイル・デバイスによって観察されうる強いピークを提供する。この例によれば、第１のセクタは、第１の帯域幅において、ＣＤＭＡによって通信することができ、第２のセクタは、第２の帯域幅において、ＯＦＤＭによって通信することができる。したがって、第１のセクタは、第２の帯域幅でＯＦＤＭビーコン（またはＯＦＤＭビーコンのシーケンス）を（例えば、第２の帯域幅でＯＦＤＭを利用している動作中のモバイル・デバイスへ）送信することにより、第１の帯域幅におけるＣＤＭＡの可用性を示すことができる。
【００３１】
この主題とするイノベーションによって、ユーザ機器（ＵＥ）は、複数のネットワークまたはアクセス・システム内でアイドル（例えば、シグナリングが生成されないモードであるアイドル・モード）になることができる。例えば、ＵＥは一般に、ＵＥがそのネットワークに以前登録またはアタッチしていたか否かに関わらず、登録および／または、ＵＥが存在する各ネットワークとのフル・アタッチメント手順を実行する。例えば、第１のネットワークから第２のネットワークへ移動し、第１のネットワークへ戻って来たＵＥは、一般に、第１のネットワーク、第２のネットワーク、および戻った第１のネットワークのために、登録およびフル・アタッチメント手順を実行する必要がある。この主題とするイノベーションによって、ＵＥは、フル・アタッチメント手順を再度実行することを回避できるようになる。したがって、ＵＥがシステムまたはネットワークに戻る場合、トラッキング・システムはＵＥの状態を既に有しているので、トラッキング・エリア（ＴＡ）登録が期限切れになっておらず、かつ、ＵＥが、新たなＴＡへの移動を検出しなければ、ＵＥは、アタッチメント手順を再度実行する必要はない。
【００３２】
一般に、ＵＥは、プロキシ・モバイルＩＰを用いる１つのホーム・エージェント・アドレスを用いて、ホーム・エージェントに登録される。これは、システムまたはネットワークを横切るいかなるアイドル・モード動作においても、プロキシ・バインディング更新（ＰＢＵ）を送信することを回避しうる。ホーム・エージェントがダウンリンク・データを受信すると、ホーム・エージェントは同時に、モバイル・アクセス・ゲートウェイ（ＭＡＧ）（例えば、ＵＥが登録したシステムまたはネットワーク）へパケットをブロードキャストすることができる。そのようなブロードキャストがなされると、ゲートウェイ／ＭＡＧは、ＵＥをページする。ＵＥがシステムにおいてアクティブになると、それぞれのＭＡＧは、ブロードキャストを終了するために、ＵＥが位置していないシステムまたはネットワークのＭＡＧアドレスを登録解除しうる。ＵＥが位置するシステム内のゲートウェイは、ＵＥが位置しないシステムまたはネットワーク内のゲートウェイのアドレスを知らないことがありうるので、この登録解除は、ワイルド・カード・オプション１を用いて実行されうる。ＵＥが再びアイドルになる場合、ＭＡＧは、以前に登録解除されたＭＡＧアドレスの追加または復帰の範囲で（例えば、ワイルド・カード・オプション２を用いて）、ホーム・エージェントの状態を再確立しうる。言い換えれば、ホーム・エージェントは、ワイルド・カード・オプションを受信している場合、ＵＥが位置していないシステムまたはネットワークに関連するエントリを削除せず、エントリを単にブロックし、ワイルド・カード・オプション２を受信している場合、エントリを再び有効にする。
【００３３】
図２に移って、無線通信環境で適用されるホーム・エージェント２００が例示される。システム２００は、ＵＥをネットワークまたはシステムへアタッチさせ登録するためのプロキシ・モバイル・インターネット・プロトコル（ＰＭＩＰ）要求を受信するホーム・エージェント２００を含みうる。ホーム・エージェント２００は、基地局またはその一部、モバイル・デバイスまたはその一部、あるいは、無線通信環境で送信されたデータを受信する実質的に任意の通信装置でありうる。ホーム・エージェント２００は、ＵＥが位置している、あるいは移動するネットワークまたはサブシステムのネットワーク・ゲートウェイＩＰアドレスをトラックするアドレス・マネジャ２０２を含みうる。例えば、ホーム・エージェント２００は、第１のネットワークにＵＥをアタッチさせるためのＰＭＩＰ要求を受信することができる。ホーム・エージェント２００は、そのようなＰＭＩＰ要求に基づいて、アドレス・マネジャ２０２が、（図示しない）バインディング・キャッシュ内に第１のネットワーク・ゲートウェイＩＰアドレスを格納する。アドレス・マネジャ２０２は、少なくとも部分的にＵＥの位置に基づいて、任意の適切な数のネットワークＩＰアドレスを用いてバインディング・キャッシュを更新しうることが認識されるべきである。言い換えれば、ＵＥがシステムまたはネットワークへ移動する場合、アドレス・マネジャ２０２は、それぞれのネットワーク・ゲートウェイＩＰアドレスを更新、削除、ブロック、あるいは、バインディング・キャッシュ内に追加しうる。ホーム・エージェント２００内のバインディング・キャッシュ内にネットワーク・ゲートウェイＩＰアドレスを登録することによって、ＵＥは、フル・アタッチメント手順を再度行うことなく、登録されたネットワークまたはシステムにわたってアイドル・モードで実行しうる。
【００３４】
例えば、ホーム・エージェント２００は、第１のネットワークへのＵＥのアタッチメント手順を開始しうるＵＥから、第１のＰＭＩＰ要求を受信しうる。ホーム・エージェント２００は、ＵＥを、任意の適切な数のネットワークまたはシステムにアタッチさせるための、任意の適切な数のＰＭＩＰ要求を受信しうることが認識されるべきである。アドレス・マネジャ２０２は、そのようなＰＭＩＰ要求に関連する第１のネットワーク・ゲートウェイＩＰアドレスを用いて、バインディング・キャッシュを更新しうる。アドレス・マネジャ２０２は、任意の適切な数のネットワーク・ゲートウェイＩＰアドレスを用いて、バインディング・キャッシュを更新しうる。ネットワークおよび／またはシステムのおのおのにおけるアドレス・マネジャ２０２を用いて、ホーム・エージェント２００内のバインディング・キャッシュを更新することによって、多くのシステムまたはネットワークにおよぶアイドル・モード移動が提供されうる。言い換えれば、ＵＥは、アイドル・モードにある間、ネットワークまたはシステムとの登録解除または再登録をする必要はない。主題とするイノベーションによって、ＵＥがアイドル・モードにある間、さまざまなネットワーク（例えば、３ＧＰＰ、非３ＧＰＰ、ｃｄｍａ２０００、ユニバーサル・モバイル・テレコミュニケーション・システム（ＵＭＴＳ）等）にわたるシームレスな移行が可能となる。
【００３５】
ダウンリンク・データの一部を受信すると、ホーム・エージェント２００は、ＵＥがネットワークまたはシステムに存在しているか否かに関わらず、少なくとも部分的に、ネットワーク・ゲートウェイＩＰアドレスを格納しているホーム・エージェント２００および／またはアドレス・マネジャ２０２に基づいて、アイドル・モードにあるＵＥを位置決めすることができる。ホーム・エージェント２００はさらに、ホーム・エージェント２００へのアタッチメントおよび登録に基づいて、登録されたネットワークへデータを同時にブロードキャストしうるダウンリンク・データ・ブロードキャスタ２０４を含みうる。それぞれのネットワークまたはシステム内において、ページング技術および／またはトラッキング技術（例えば、図３で詳述される）が適用されうる。そのようなページング技術および／またはトラッキング技術に応じて、ホーム・エージェント２００によって、ＰＢＵが受信されうる。ダウンリンク・データ・ブロードキャスタ２０４は、ホーム・エージェント２００を用いて登録および／またはリストされた任意の適切な数のネットワークまたはシステムへと、データの一部を、同時に送信しうることが認識されるべきである。さらに、ネットワーク内でアップリンク・データの一部を受信すると、ホーム・エージェント２００は、ＰＢＵの通信を開始するＵＥから、アクティブ・モード・インジケーションを受信しうる。
【００３６】
一例において、ホーム・エージェント２００内のバインディング・キャッシュは、プロキシ・バインディング更新値（ＰＢＵ）を用いて更新されうる。ここで、ＰＢＵは、ＰＢＵソース・アドレスを含みうる。一般に、ＰＢＵは、ＰＢＵのソース・アドレスを除くバインディング・キャッシュ内の任意のアドレスを削除する特定のフラグ／オプション（例えば、ワイルド・カード削除ＰＢＵ）を含みうる。そのようなＰＢＵを受信すると、アドレス・マネジャ２０２は、それにしたがって、バインディング・キャッシュを、格納、追加、ブロック、削除、および／または更新しうる。言い換えると、ソース・アドレスは、ＵＥが位置するシステムまたはネットワークを反映しており、ホーム・エージェント２００がデータを通信するために利用するネットワーク・ゲートウェイＩＰアドレスを識別する。ＵＥがアイドル・モードに戻ると、特定のフラグ／オプションが、ワイルド・カード削除（上記参照）中に除去されたバインディング・キャッシュ内の任意のアドレスの追加（例えば、ワイルド・カード追加ＰＢＵ）を適用しうる。例えば、ワイルド・カード削除ＰＢＵは、バインディング・キャッシュ内のネットワーク・ゲートウェイＩＰアドレスをブロックし、その後、ワイルド・カード追加ＰＢＵを受信すると、アドレスをアクティブに（例えば、ブロック解除）する。
【００３７】
さらに、図示していないが、ホーム・エージェント２００は、以下に関連する命令群を保持するメモリを含みうる。これら命令群は、第１のネットワークにアタッチするための第１のプロキシ・モバイル・インターネット・プロトコル（ＰＭＩＰ）要求を、第１のネットワーク内のユーザ機器（ＵＥ）から受信することと、第１のＰＭＩＰ要求に基づいて、ホーム・エージェント内に、第１のネットワーク・ゲートウェイＩＰアドレスを用いてＵＥを登録することと、第２のネットワークにアタッチするための第２のＰＭＩＰ要求を、第２のネットワーク内のＵＥから受信することと、第２のＰＭＩＰ要求に基づいて、ホーム・エージェント内に、第２のネットワーク・ゲートウェイＩＰアドレスを用いてＵＥを登録することと、アイドル・モード中におけるＵＥの再登録、あるいは、アイドル・モード中におけるＵＥの登録解除のうちの少なくとも１つを実行することなく、ＵＥが、第１のネットワークと第２のネットワークとの間でアイドル・モードを実行できるように、第１のネットワーク・ゲートウェイＩＰアドレスまたは第２のネットワーク・ゲートウェイＩＰアドレスのうちの少なくとも１つを利用することとに関連する。
【００３８】
図３を参照して、２またはそれ以上のネットワーク内のユーザ機器のためにアイドル・モード移動を適用することを容易にする無線通信システム３００が例示される。システム３００は、ユーザ機器（ＵＥ）３０６（および／またはその他任意の別のＵＥ（図示せず））と通信する少なくとも１つのネットワーク（例えば、本明細書では集合的に‘ネットワーク３０２および／または３０４’と称される第１のネットワーク３０２および第２のネットワーク３０４）を含む。ネットワーク３０２および／またはネットワーク３０４は、順方向リンク・チャネルで、ＵＥ３０６へ情報を送信することができる。さらに、ネットワーク３０２および／またはネットワーク３０４は、逆方向リンク・チャネルでＵＥ３０６から情報を受信することができる。さらに、システム３００は、ＭＩＭＯシステムになりえる。さらに、システム３００は、ＯＦＤＭＡ無線ネットワーク、３ＧＰＰ  ＬＴＥ無線ネットワーク等において動作しうる。さらに、ネットワーク３０２および／またはネットワーク３０４では、以下に図示および記載する構成要素および機能が、一例として、その逆にＵＥ３０６にも存在しうるが、図示する構成は、説明を容易にするために、これら構成要素を除外している。さらに、簡潔のために、システム３００は、第１のネットワーク３０２および第２のネットワーク３０４とともに記載されているが、任意の適切な数のネットワークが存在すると認識されることが認識されるべきである。
【００３９】
システム３００はさらに、ホーム・エージェント２００、アドレス・マネジャ２０２、およびダウンリンク・データ・ブロードキャスタ２０４を含みうる。これらは、前述したエージェント、マネジャ、およびブロードキャスタに実質的に類似している。システム３００はさらに、第１のネットワーク３０２および第２のネットワーク３０４を含む。ここで、ＵＥ３０６は、これらネットワーク間で、データを通信する。特に、ホーム・エージェント２００は、第１のネットワークおよび／または第２のネットワーク３０４（図２参照）へのＵＥ３０６の登録およびアタッチを行う。一般に、２またはそれ以上のネットワーク（例えば、第１のネットワーク３０２、第２のネットワーク３０４等）との間でのシームレスなアイドル・モード移動を提供するために、ホーム・エージェント２００は、ＵＥ３０６に関連付けられたネットワーク・ゲートウェイＩＰアドレスをトラックしうる。
【００４０】
ＵＥ３０６は、特定のトラッキング・エリア（ＴＡ）またはネットワーク内のＵＥ３０６の位置に少なくとも部分的に基づいてＩＰアドレスを受信するために、アタッチメント手順を用いて、第１のネットワーク３０２または第２のネットワーク３０４へアタッチしうる。前述したように、ホーム・エージェント２００内にネットワーク・ゲートウェイＩＰアドレスを登録することによって、トラッキング・エリア登録が終了していない場合、あるいは、ＵＥ３０６が新たな「登録されていない」トラッキング・エリアを受け取るエリアへ移動したとＵＥ３０６が検知しない場合、ＵＥ３０６は、第１のネットワーク３０２と、第２のネットワーク３０４との間でアイドルになりうる。第１のネットワーク３０２は、ゲートウェイ３０８と、ページャおよびトラッカ３１０とを含みうる。同様に、第２のネットワーク３０４は、ゲートウェイ３１２と、ページャおよびトラッカ３１４とを含みうる。
【００４１】
ＵＥ３０６がどのネットワークに存在しているかに関わらず、システム３００は、そのデータの一部を通信することができる。データの一部は、限定される訳ではないが、ＵＥ３０６へ向けられたダウンリンク・データ・パケットであるか、あるいは、ＵＥ３０６からのアップリンク・データ・パケットでありうることが認識されるべきである。ＵＥ３０６に向けられたダウンリンク・データ・パケットを受信すると、ホーム・エージェント２００に登録されたゲートウェイ（ここでは、ゲートウェイ３０８およびゲートウェイ３１２）は、（第２のネットワーク３０４内のページャおよびトラッカ３１４、第１のネットワーク３０２内のページャおよびトラッカ３１０によって実現される）ＵＥ３０６へのページング技術および／またはトラッキング技術をトリガしうる。ＵＥ３０６は、ＵＥが存在するネットワーク内から、適切なページャおよびトラッカへと、ページ応答を通信しうる。ＵＥ３０６からのページ応答、および／または、そのようなページ応答のソースからのページ応答に基づいて、ＵＥ３０６が存在するネットワークの位置が決定されうる。したがって、そのように特定されたネットワーク内のゲートウェイは、ホーム・エージェント２００へＰＢＵを通信しうる。これによって、さらに、ダウンリンク・データ・パケットが、ＵＥ３０６へ通信されることが可能となる。ＵＥ３０６からアップリンク・データ・パケットを受信すると、ＵＥ３０６が存在するゲートウェイは、そのようなＵＥ３０６の位置を通知するＰＢＵをホーム・エージェント２００へ通信しうる。したがって、データの一部は、第１のネットワーク３０２または第２のネットワーク３０４のうちの１つを経由して、ＵＥ３０６とホーム・エージェント２００との間で通信されうる。さらに、このようなデータの通信が完了すると、ＵＥ３０６は、アイドル・モードへ復帰しうる。例えば、ＵＥ３０６は、アイドル・モード・インジケーションを、ネットワークすなわちゲートウェイへ送信しうる。これは、ネットワークすなわちゲートウェイに対して、ＰＢＵをホーム・エージェントへ通信するようにトリガしうる。
【００４２】
さらに、図示されていないが、ネットワーク３０２および／またはネットワーク３０４は、ＵＥに関連するホーム・エージェントへのプロキシ・モバイル・インターネット・プロトコル（ＰＭＩＰ）登録を用いて、ユーザ機器（ＵＥ）を第１のネットワークへアタッチさせることと、第１のネットワークの登録解除なしで、ホーム・エージェントへのＰＭＩＰ登録を用いて、ＵＥを第２のネットワークへアタッチさせることと、追加のアタッチメントを実行することなく、ＵＥが第１のネットワークまたは第２のネットワーク内でアイドルになることを可能にすることと、ＵＥへ向けられたダウンリンク・データ・パケット、あるいは、ＵＥからのアップリンク・データ・パケットのうちの少なくとも１つである、データの一部を受信することと、データの一部を、第１のネットワークまたは第２のネットワークのうちの１つの中のＵＥへ送信することとを備え、ＵＥが存在するネットワークは、ＵＥから受信したアクティブ・モード・インジケーション、あるいはＵＥから受信したページ応答のうちの少なくとも１つによって識別されることに関する命令群を保持するメモリを含みうることが認識されるべきである。
【００４３】
図４には、複数のアクセス・システムおよび／またはネットワーク内でユーザ機器をアイドルにすることを容易にする無線通信システム４００の例が示される。システム４００は、ＵＥ４０６のネットワーク・ゲートウェイＩＰアドレスを格納するホーム・エージェント４０２を含みうる。これによって、２またはそれ以上のネットワーク４０４間でのアイドル・モード移動が可能となる。Ｎが正の整数である場合、ＵＥ４０６は、例えばネットワーク１乃至ネットワークＮのような任意の適切な数のネットワーク上に存在しうることが認識されるべきである。さらに、そのようなネットワークは、特定のアイドル・モード移動技術を含みうることが認識および理解されるべきである。第１のネットワークは、ページャおよびトラッカ４０８、ゲートウェイ４１０、およびトラッキング・エリア４１２を含みうる。第２のネットワークは、ページャおよびトラッカ４１４、ゲートウェイ４１６、およびトラッキング・エリア４１８を含みうる。２またはそれ以上ネットワーク４０４は、第１のネットワークおよび／または第２のネットワークを含みうる。
【００４４】
ＰＭＩＰ状況に関する最初のアタッチメントの間、ＵＥ４０６は、第１のネットワークに関するアタッチメント手順を実行しうる。ＵＥ４０６は、ＩＰアドレス（ＩＰ＿ＵＥ）を受信しうる。ゲートウェイ４１０は、ＰＭＩＰブートストラッピング（例えば、ホーム・エージェント４０２の選択）登録を実行しうる。ホーム・エージェント４０２は、ＩＰ＿ＵＥ→ＧＷ＿ｆｉｒｓｔネットワーク・バインディングを有しうる。ＵＥは、アイドル・モードにありうる。ここでは、ページャおよびトラッカ４０８が、ＵＥ４０６が位置するトラッキング・エリアを認識している（例えば、第１のネットワーク内のトラッキング・エリア）。移動は、第１のネットワークの仕様に基づいて、トラッキング・システムによって取り扱われうる。ＵＥ４０６が別のトラッキング・エリアへ移動する場合、ＵＥ４０６は、トラッキング・システム内の位置を更新するトラッキング・エリア更新を送信しうる。ダウンリンク・パケットがホーム・エージェント４０２に到着した場合、ホーム・エージェント４０２は、ダウンリンク・パケットをＧＷ＿ｆｉｒｓｔネットワークへ送信しうる。ゲートウェイ４１０は、ページャおよびトラッカ４０８によって実行されるべきページング手順をトリガしうる。ＵＥ４０６は、ページ応答を持って返信する。ここでは、データも転送されうる。
【００４５】
第２のネットワークへの移動中に、ＵＥ４０６は、フル・アタッチメント手順を用いて、第２のネットワークに初めてアタッチする。第２のネットワークへの修正されたアタッチメント手順に基づいて、ＵＥ４０６には、同じＩＰ＿ＵＥが割り当てられうる。ゲートウェイ４１６は、ホーム・エージェント４０２にそのアドレスを登録することができる。この登録は、複数の気付アドレス（ＣｏＡ）である（例えば、登録は、ＧＷ＿ｆｉｒｓｔネットワークを交換しない）。ホーム・エージェント４０２は、ＩＰ＿ＵＥ→（ＧＷ＿ｆｉｒｓｔネットワーク、ＧＷ＿ｓｅｃｏｎｄネットワーク）を有する。第２のネットワークは、第１のネットワークで使用されていたものと同じＩＰが、ＵＥ４０６へ割り当てられることを考慮しうることが認識されるべきである。さらに、システム間移動のためにＰＭＩＰをアクティブにするために、第１のネットワークおよび／または第２のネットワークのアタッチメント手順において、いくつかの修正がなされうる。
【００４６】
アイドル・モードにおける移動は、追加のシグナリングなしで、それぞれのシステムまたはネットワークによって取り扱われうる。追加のシグナリングは、トラッキング・エリア変更のために生じるが、システム間シナリオについて特有のものではない。ＵＥ４０６が第１のネットワークに戻ると、トラッキング・エリアが期限切れになっている場合、あるいは、ＵＥ４０６が、第１のネットワークの新たな「非登録」トラッキング・エリアが受信されるエリアへ移動したことを検出した場合、を除いて、シグナリングは不要である。上記を適用することによって、シグナリングのないシステム間アイドル・モード移動が提供される。
【００４７】
ダウンリンク・データおよびページング中に、ホーム・エージェント４０２は、ＵＥ４０６がどこに位置しているのかを知らない。したがって、ホーム・エージェント４０２は、第１のネットワークと第２のネットワーク（例えば、ゲートウェイ４１０とゲートウェイ４１６）との両方にデータ・パケットをバイキャスト（bi-cast）する。おのおののネットワーク（例えば、第１のネットワークにおけるページャおよびトラッカ４０８と、第２のネットワークにおけるページャおよびトラッカ４１４）は、ページングを実行する。ＵＥ４０６は、第２のネットワーク（例えば、ＵＥ４０６が存在するネットワーク）においてページ応答を送信しうる。ゲートウェイ４１６（例えば、ＧＷ＿ｓｅｃｏｎｄネットワーク）は、ＰＢＵをホーム・エージェント４０２へ送信する。これによって、ＧＷ＿ｆｉｒｓｔネットワークが削除（例えば、ブロック）され、バイ・キャストが停止される。
【００４８】
アップリンク・データ中に、ＵＥ４０６は、モードをアクティブにするために、どのネットワークに移動するのかを選択しうる（例えば、ここでは、ＵＥは、第２のネットワークに存在し続ける）。ゲートウェイ４１６は、ホーム・エージェント４０２へＰＢＵを送信することによって、ホーム・エージェント４０２において、ＧＷ＿ｆｉｒｓｔネットワーク・アドレスを削除またはブロックしうる。ＵＥ４０６は、第２のネットワークによって通信を開始しうる。ＵＥ４０６が第２のネットワークにおいてアクティブであり、ＵＥ４０６をアイドル・モードに維持すべきであることを、第１のネットワークは知らないことが認識されるべきである。
【００４９】
ＵＥ４０６がアイドル・モードへ戻ると、ゲートウェイ４１６（例えば、ＵＥ４０６が存在するネットワークに関連付けられたゲートウェイ）は、ホーム・エージェント４０２において、その状態を再確立しうる（例えば、ゲートウェイ４１６は、ＧＷ＿ｆｉｒｓｔネットワーク・アドレスを追加しうる）。ゲートウェイ４１６は、ＣｏＡとしてＧＷ＿ｆｉｒｓｔネットワーク・アドレスを用いて、ＰＢＵを送信しうる。このＰＢＵは、複数の登録でありうる（例えば、ＰＢＵは、ＧＷ＿ｓｅｃｏｎｄネットワーク・アドレスを削除しない）。
【００５０】
図５および図６に示すように、オーバヘッドおよび電力消費を低減しながら、アップリンク・タイミング制御を提供することに関連する方法論が例示される。説明を簡単にする目的で、これら方法論は一連の動作として図示され記載されているが、幾つかの動作は、１または複数の実施形態にしたがって、本明細書に図示され記載されたものとは異なる順序で、および／または、他の動作と同時に生じうるので、これらの方法論は、これら動作順によって限定されないことが理解され認識されるべきである。例えば、当業者であれば、方法論は、代わりに、例えば状態図のような相互関連する状態またはイベントのシリーズとして表されうることを理解するだろう。さらに、１または複数の実施形態にしたがって方法論を実現するために必ずしも例示された全ての動作が必要とされる訳ではない。
【００５１】
図５に戻って、ユーザ機器を２またはそれ以上のネットワークをアタッチさせることおよび登録することを容易にする方法論５００が例示される。ここでは、おのおののネットワークは、特定かつ個別のアイドル・モード移動技術を利用する。参照番号５０２では、ユーザ機器（ＵＥ）は、ＵＥに関連するプロキシ・モバイル・インターネット・プロトコル（ＰＭＩＰ）登録を用いて、第１のネットワークへアタッチされうる。参照番号５０４では、ＵＥは、第１のネットワークの登録を維持しながら、ホーム・エージェントへのＰＭＩＰ登録を用いて、第２のネットワークにアタッチされうる。参照番号５０６では、データの一部が受信されうる。このデータの一部は、ＵＥへ向けられたダウンリンク・データ・パケットまたはＵＥからのアップリンク・データ・パケットのうちの少なくとも１つである。参照番号５０８では、ＵＥは、アイドル・モードにありながら、第１のネットワークと第２のネットワークとの間を移動することができる。アイドル・モードとは、シグナリングが生成されないモードである。参照番号５１０では、データの一部が、第１のネットワークまたは第２のネットワークのうちの１つにあるＵＥへ送信されうる。ここでは、ＵＥが存在するネットワークが、ＵＥから受信されたアクティブ・モード・インジケーションまたはＵＥから受信されたページ応答のうちの少なくとも１つによって識別される。
【００５２】
図６を参照して、複数のネットワーク間のシームレスかつ効率的なアイドル・モード移動を可能にするために、ホーム・エージェント内に、複数のアドレスを用いてユーザ機器を登録することを容易にする方法論６００が示される。参照番号６０２では、第１のネットワークへアタッチするための第１のプロキシ・モバイル・インターネット・プロトコル（ＰＭＩＰ）要求が、第１のネットワーク内のユーザ機器（ＵＥ）から受信されうる。参照番号６０４では、第１のＰＭＩＰ要求に基づいて、第１のネットワーク・ゲートウェイＩＰアドレスを用いて、ＵＥがホーム・エージェント内に登録される。参照番号６０６では、第２のネットワークにアタッチするための第２のＰＭＩＰ要求が、第２のネットワーク内のＵＥから受信されうる。参照番号６０８では、第２のＰＭＩＰ要求に基づいて、第２のネットワーク・ゲートウェイＩＰアドレスを用いて、ＵＥがホーム・エージェント内に登録されうる。参照番号６１０では、ＵＥが、アイドル・モード中におけるＵＥの再登録、あるいは、アイドル・モード中におけるＵＥの登録解除のうちの少なくとも１つを実行することなく、第１のネットワークと第２のネットワークとの間でアイドル・モードを実行できるようにするために、第１のネットワーク・ゲートウェイＩＰアドレスまたは第２のネットワーク・ゲートウェイＩＰアドレスのうちの少なくとも１つが利用されうる。
【００５３】
図７は、無線通信システム７００の例を示す。無線通信システム７００は、簡潔さの目的で、１つの基地局７１０および１つのモバイル・デバイス７５０を示す。しかしながら、システム７００は、１より多い基地局、および／または、１より多いモバイル・デバイスを含むことができ、これら追加の基地局および／またはモバイル・デバイスは、以下に説明する基地局７１０およびモバイル・デバイス７５０の例と実質的と同じでも、別のものでもありうることが認識されるべきである。さらに、基地局７１０および／またはモバイル・デバイス７５０は、その間の無線通信を容易にするために、本明細書に記述されたシステム（図１乃至図４）および／または方法（図５乃至図６）を適用しうることが認識されるべきである。
【００５４】
基地局７１０では、多くのデータ・ストリームのためのトラフィック・データが、データ・ソース７１２から送信（ＴＸ）データ・プロセッサ７１４へ提供される。一例によれば、おのおののデータ・ストリームは、それぞれのアンテナを介して送信される。ＴＸデータ・プロセッサ７１４は、トラフィック・データ・ストリームをフォーマットし、このデータ・ストリームのために選択された特定の符合化スキームに基づいて符号化し、インタリーブして、符合化されたデータを提供する。
【００５５】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス７５０において使用されうる。おのおののデータ・ストリームに関する多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、コーディング、および変調は、プロセッサ７３０によって実行または提供される命令によって決定されうる。
【００５６】
データ・ストリームの変調シンボルは、（例えば、ＯＦＤＭのために）変調シンボルを処理するＴＸ  ＭＩＭＯプロセッサ７２０に提供される。ＴＸ  ＭＩＭＯプロセッサ７２０はその後、ＮＴ個の変調シンボル・ストリームを、ＮＴ個の送信機（ＴＭＴＲ）７２２ａ乃至７２２ｔへ提供する。さまざまな実施形態において、ＴＸ  ＭＩＭＯプロセッサ７２０は、データ・ストリームのシンボル、および、そのシンボルが送信されるアンテナへ、ビームフォーミング重みを適用する。
【００５７】
おのおのの送信機７２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機７２２ａ乃至７２２ｔからのＮＴ個の変調信号は、ＮＴ個のアンテナ７２４ａ乃至７２４ｔそれぞれから送信される。
【００５８】
モバイル・デバイス７５０では、送信された変調信号がＮＲ個のアンテナ７５２ａ乃至７５２ｒによって受信され、おのおののアンテナ７５２からの受信信号が、それぞれの受信機（ＲＣＶＲ）７５４ａ乃至７５４ｒへ提供される。おのおのの受信機７５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００５９】
ＲＸデータ・プロセッサ７６０は、ＮＲ個の受信機７５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ７６０は、検出されたおのおののシンボル・ストリームを復調し、デインタリーブし、復号して、そのデータ・ストリームのためのトラフィック・データを復元する。ＲＸデータ・プロセッサ７６０による処理は、基地局７１０におけるＴＸ  ＭＩＭＯプロセッサ７２０およびＴＸデータ・プロセッサ７１４によって実行されるものと相補的である。
【００６０】
プロセッサ７７０は、上述したように、どの事前符合化行列を使用するのかを定期的に決定する。さらに、プロセッサ７７０は、行列インデクス部およびランク値部とを備えた逆方向リンク・メッセージを規定することができる。
【００６１】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース７３６から受け取るＴＸデータ・プロセッサ７３８によって処理され、変調器７８０によって変調され、送信機７５４ａ乃至７５４ｒによって調整され、基地局７１０へ送り戻される。
【００６２】
基地局７１０では、モバイル・デバイス７５０からの変調信号が、アンテナ７２４によって受信され、受信機７２２によって調整され、復調器７４０によって復調され、ＲＸデータ・プロセッサ７４２によって処理されて、モバイル・デバイス７５０によって送信された逆方向リンク・メッセージを抽出する。さらに、プロセッサ７３０は、ビームフォーミング重みを決定するためにどの事前符合化行列を使用するかを決定するために、この抽出されたメッセージを処理する。
【００６３】
プロセッサ７３０およびプロセッサ７７０は、基地局７１０およびモバイル・デバイス７５０それぞれにおける動作を指示（例えば、制御、調整、管理等）する。プロセッサ７３０およびプロセッサ７７０はそれぞれ、プログラム・コードおよびデータを格納するメモリ７３２およびメモリ７７２に関連付けられうる。プロセッサ７３０およびプロセッサ７７０はまた、アップリンクおよびダウンリンクそれぞれのための周波数およびインパルス応答推定値を導出する計算をも実行する。
【００６４】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００６５】
これら実施形態が、ソフトウェア、ファームウェア、ミドルウェアあるいはマイクロコード、プログラム・コードあるいはコード・セグメントで実現される場合、これらは、例えば記憶要素のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００６６】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００６７】
図８を参照して、２またはそれ以上のネットワークにユーザ機器をアタッチさせ、登録するシステム８００が例示される。ここで、おのおののネットワークは特定かつ個別のアイドル・モード移動技術を利用する。例えば、システム８００は、基地局、モバイル・デバイス、ホーム・エージェント、ネットワーク等内に少なくとも部分的に存在しうる。システム８００は、プロセッサ、ソフトウェア、あるいはそれらの組み合わせ（例えば、ファームウェア）によって実現される機能を表す機能ブロックを含むものとして表される
ことが認識されるべきである。システム８００は、２またはそれ以上のネットワーク間での複数のアドレス・アクセスを可能にすることを容易にするための電子構成要素からなる論理グループ８０２を含む。この論理グループ８０２は、ユーザ機器（ＵＥ）に関連するホーム・エージェントへのプロキシ・モバイル・インターネット・プロトコル（ＰＭＩＰ）登録を用いて、ＵＥを第１のネットワークへアタッチさせるための電子構成要素８０４を含みうる。さらに、論理グループ８０２は、第１のネットワークの登録を維持しながら、ホーム・エージェントへのＰＭＩＰ登録を用いて、ＵＥを第２のネットワークへアタッチさせるための電子構成要素８０６を備えうる。さらに、論理グループ８０２は、ＵＥへ向けられたダウンリンク・データ・パケット、あるいは、ＵＥからのアップリンク・データ・パケットのうちの少なくとも１つであるデータの一部を受信するための電子構成要素８０８を含みうる。論理グループ８０２は、シグナリングが生成されないアイドル・モードにありながら、ＵＥが第１のネットワークと第２のネットワークとの間を移動できるようにするための電子構成要素８１０を含みうる。さらに、論理グループ８０２は、第１のネットワークまたは第２のネットワークのうちの１つに存在するＵＥへ、データの一部を送信するための電子構成要素８１２を含みうる。ＵＥが存在するネットワークは、ＵＥからの受信されたアクティブ・モード・インジケーションまたはＵＥからの受信されたページ応答のうちの少なくとも１つによって識別される。さらに、システム８００は、電子構成要素８０４、８０６、８０８、８１０、および８１２に関連付けられた機能を実行するための命令群を保持するメモリ８１４を含みうる。メモリ８１４の外側にあると示されているが、電子構成要素８０４、８０６、８０８、８１０、および８１２のうちの１または複数は、メモリ８１４内に存在しうることが理解されるべきである。
【００６８】
図９に移って、複数のネットワーク間でのシームレスかつ効率的なアイドル・モード移動を可能にするために、複数のアドレスを用いてユーザ機器をホーム・エージェント内に登録するシステム９００が例示される。システム９００は、例えば、基地局、モバイル・デバイス、ホーム・エージェント、ネットワーク等内に存在しうる。図示するように、システム９００は、プロセッサ、ソフトウェア、あるいはそれらの組み合わせ（例えば、ファームウェア）によって実現される機能を表す機能ブロックを含む。システム９００は、２またはそれ以上のネットワークにおよびアイドル・モード移動を提供することを容易にするための電子構成要素の論理グループ９０２を含む。論理グループ９０２は、第１のネットワークにアタッチするための第１のプロキシ・モバイル・インターネット・プロトコル（ＰＭＩＰ）要求を、第１のネットワーク内のユーザ機器（ＵＥ）から受信するための電子構成要素９０４を含みうる。さらに、論理グループ９０２は、第１のＰＭＩＰ要求に基づいて、第１のネットワーク・ゲートウェイＩＰアドレスを用いて、ＵＥをホーム・エージェント内に登録するための電子構成要素９０６を含みうる。さらに、論理グループ９０２は、第２のネットワークにアタッチするための第２のＰＭＩＰ要求を、第２のネットワーク内のＵＥから受信するための電子構成要素９０８を備えうる。さらに、論理グループ９０２は、第２のＰＭＩＰ要求に基づいて、第２のネットワーク・ゲートウェイＩＰアドレスを用いて、ＵＥをホーム・エージェント内に登録するための電子構成要素９１０を含みうる。さらに、論理グループ９０２は、ＵＥが、アイドル・モード中のＵＥの再登録、あるいは、アイドル・モード中のＵＥの登録解除のうちの少なくとも１つを実行することなく、第１のネットワークと第２のネットワークとの間でのアイドル・モードを実行できるようにするために、第１のネットワーク・ゲートウェイＩＰアドレスまたは第２のネットワーク・ゲートウェイＩＰアドレスのうちの少なくとも１つを利用するための電子構成要素９１２を備えうる。さらに、システム９００は、電子構成要素９０４、９０６、９０８、９１０および９１２に関連付けられた機能を実行するための命令群を保持するメモリ９１４を含みうる。メモリ９１４の外側にあると示されているが、電子構成要素９０４、９０６、９０８、９１０、および９１２のうちの１または複数は、メモリ９１４内に存在しうることが理解されるべきである。
【００６９】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、請求項の精神および範囲内にあるそのような全ての変更、修正、および変形を含むことが意図される。さらにまた、用語「含む」が、詳細説明あるいは請求項のうちの何れかで使用されている限り、その用語は、用語「備える」が、請求項における遷移語として適用される場合に解釈されるように、用語「備える」と同様に包括的であることが意図される。
なお、以下に、出願当初の特許請求の範囲に記載された発明を付記する。
［発明１］
２またはそれ以上のネットワーク間での複数のアドレス・アクセスを可能にすることを容易にする方法であって、
ユーザ機器（ＵＥ）に関連するホーム・エージェントへのプロキシ・モバイル・インターネット・プロトコル（ＰＭＩＰ）登録を用いて、前記ＵＥを、第１のネットワークへアタッチさせることと、
前記第１のネットワークの登録を維持しながら、前記ホーム・エージェントへのＰＭＩＰ登録を用いて、前記ＵＥを第２のネットワークへアタッチさせることと、
前記ＵＥが、前記第１のネットワークと前記第２のネットワークとの間で、シグナリングが生成されないモードであるアイドル・モードで移動できるようにすることと、
前記ＵＥへ向けられたダウンリンク・データ・パケット、あるいは、前記ＵＥからのアップリンク・データ・パケットのうちの少なくとも１つであるデータの一部を受信することと、
前記第１のネットワークまたは前記第２のネットワークのうちの１つに存在する前記ＵＥへ、前記データの一部を送信することとを備え、
前記ＵＥが存在するネットワークは、前記ＵＥからの受信されたアクティブ・モード・インジケーション、あるいは、前記ＵＥからの受信されたページ応答のうちの少なくとも１つによって識別される方法。
［発明２］
前記データの一部が、前記ダウンリンク・データ・パケットである場合さらに、
前記第１のネットワークおよび前記第２のネットワークにおいて前記ＵＥをページすることと、
前記第１のネットワークまたは前記第２のネットワークのうちの１つに存在するＵＥから、前記ページ応答を受信することと、
前記ページ応答が受信されたネットワーク内のＵＥへ、前記ダウンリンク・データ・パケットを送信することと
を備える発明１に記載の方法。
［発明３］
前記データの一部がアップリンク・データ・パケットである場合さらに、
前記第１のネットワークまたは前記第２のネットワークのうちの１つに存在するＵＥから、前記アクティブ・モード・インジケーションを受信することと、
前記アクティブ・モード・インジケーションが受信されたネットワーク内のＵＥと通信することと
を備える発明１に記載の方法。
［発明４］
前記第１のネットワークは、３Ｇネットワークであり、前記第２ネットワークは、ＣＤＭＡ２０００ネットワークである発明１に記載の方法。
［発明５］
前記第１のネットワークおよび前記第２のネットワークは、３Ｇネットワーク、ＣＤＭＡ２０００ネットワーク、およびＵＭＴＳネットワークの組み合わせである発明１に記載の方法。
［発明６］
前記第１のネットワークおよび前記第２のネットワークへの前記ＵＥのアタッチメント、および、前記ホーム・エージェントへの登録に基づいて、追加のシグナリングなしで、前記第１のネットワークまたは前記第２のネットワークのうちの少なくとも１つ内でアイドル・モードにある前記ＵＥを、全体にわたってトラックすることをさらに備える発明１に記載の方法。
［発明７］
前記アクティブ・モード・インジケーションまたは前記ページ応答のうちの少なくとも１つを受信することに基づいて、プロキシ・バインディング更新（ＰＢＵ）を前記ホーム・エージェントへ送信することをさらに備える発明１に記載の方法。
［発明８］
前記ＰＢＵは、前記ＵＥが存在しないネットワークに関するＰＭＩＰ登録を削除する発明７に記載の方法。
［発明９］
前記ＵＥからアイドル・モード・インジケーションを受信することに基づいて、前記ホーム・エージェントへＰＢＵを送信することをさらに備える発明８に記載の方法。
［発明１０］
前記ＰＢＵは、前記ＵＥが存在しないネットワークに関するＰＭＩＰ登録を追加する発明９に記載の方法。
［発明１１］
前記第１のネットワークおよび前記第２のネットワークは、３ＧＰＰアクセス・ネットワークあるいは非３ＧＰＰアクセス・ネットワークの少なくとも１つである発明１に記載の方法。
［発明１２］
前記ＰＭＩＰプロトコルは、前記ホーム・エージェントとゲートウェイとの間で有効である発明１１に記載の方法。
［発明１３］
３ＧＰＰパケット・データ・ネットワーク・ゲートウェイ（ＰＤＮ ＧＷ）にＰＭＩＰホーム・エージェントが含まれる発明１２に記載の方法。
［発明１４］
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである発明１３に記載の方法。
［発明１５］
無線通信装置であって、
ユーザ機器（ＵＥ）に関連するホーム・エージェントへのプロキシ・モバイル・インターネット・プロトコル（ＰＭＩＰ）登録を用いて、前記ＵＥを、第１のネットワークへアタッチさせ、
前記第１のネットワークの登録を維持しながら、前記ホーム・エージェントへのＰＭＩＰ登録を用いて、前記ＵＥを第２のネットワークへアタッチさせ、
前記ＵＥへ向けられたダウンリンク・データ・パケット、あるいは、前記ＵＥからのアップリンク・データ・パケットのうちの少なくとも１つであるデータの一部を受信し、 前記ＵＥが、前記第１のネットワークと前記第２のネットワークとの間で、シグナリングが生成されないモードであるアイドル・モードで移動できるようにし、
前記第１のネットワークまたは前記第２のネットワークのうちの１つに存在する前記ＵＥへ、前記データの一部を送信する
ように構成された少なくとも１つのプロセッサを備え、
前記ＵＥが存在するネットワークは、前記ＵＥからの受信されたアクティブ・モード・インジケーション、あるいは、前記ＵＥからの受信されたページ応答のうちの少なくとも１つによって識別され、
前記無線通信装置はさらに、前記少なくとも１つのプロセッサに接続されたメモリを備える無線通信装置。
［発明１６］
前記少なくとも１つのプロセッサは、前記データの一部が、前記ダウンリンク・データ・パケットである場合さらに、
前記第１のネットワークおよび前記第２のネットワークにおいて前記ＵＥをページし、
前記第１のネットワークまたは前記第２のネットワークのうちの１つに存在するＵＥから、前記ページ応答を受信し、
前記ページ応答が受信されたネットワーク内のＵＥへ、前記ダウンリンク・データ・パケットを送信する
ように構成された発明１５に記載の無線通信装置。
［発明１７］
前記少なくとも１つのプロセッサは、前記データの一部がアップリンク・データ・パケットである場合さらに、
前記第１のネットワークまたは前記第２のネットワークのうちの１つに存在するＵＥから、前記アクティブ・モード・インジケーションを受信することと、
前記アクティブ・モード・インジケーションが受信されたネットワーク内のＵＥと通信することと
を提供するように構成された発明１５に記載の無線通信装置。
［発明１８］
前記第１のネットワークは、３Ｇネットワークであり、前記第２ネットワークは、ＣＤＭＡ２０００ネットワークである発明１５に記載の無線通信装置。
［発明１９］
前記第１のネットワークおよび前記第２のネットワークは、３Ｇネットワーク、ＣＤＭＡ２０００ネットワーク、およびＵＭＴＳネットワークの組み合わせである発明１５に記載の無線通信装置。
［発明２０］
前記少なくとも１つのプロセッサは、前記第１のネットワークおよび前記第２のネットワークへの前記ＵＥのアタッチメント、および、前記ホーム・エージェントへの登録に基づいて、追加のシグナリングなしで、前記第１のネットワークまたは前記第２のネットワークのうちの少なくとも１つ内でアイドル・モードにある前記ＵＥを、全体にわたってトラックするように構成された発明１５に記載の無線通信装置。
［発明２１］
前記少なくとも１つのプロセッサは、前記アクティブ・モード・インジケーションまたは前記ページ応答のうちの少なくとも１つを受信することに基づいて、プロキシ・バインディング更新（ＰＢＵ）を前記ホーム・エージェントへ送信するように構成された発明１５に記載の無線通信装置。
［発明２２］
前記ＰＢＵは、前記ＵＥが存在しないネットワークに関するＰＭＩＰ登録を削除する発明２１に記載の無線通信装置。
［発明２３］
前記少なくとも１つのプロセッサは、前記ＵＥからアイドル・モード・インジケーションを受信することに基づいて、前記ホーム・エージェントへＰＢＵを送信するように構成された発明２２に記載の無線通信装置。
［発明２４］
前記ＰＢＵは、前記ＵＥが存在しないネットワークに関するＰＭＩＰ登録を追加する発明２３に記載の無線通信装置。
［発明２５］
前記第１のネットワークおよび前記第２のネットワークは、３ＧＰＰアクセス・ネットワークあるいは非３ＧＰＰアクセス・ネットワークの少なくとも１つである発明１５に記載の無線通信装置。
［発明２６］
前記ＰＭＩＰプロトコルは、前記ホーム・エージェントとゲートウェイとの間で有効である発明２５に記載の無線通信装置。
［発明２７］
３ＧＰＰパケット・データ・ネットワーク・ゲートウェイ（ＰＤＮ ＧＷ）にＰＭＩＰホーム・エージェントが含まれる発明２６に記載の無線通信装置。
［発明２８］
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである発明２７に記載の無線通信装置。
［発明２９］
２またはそれ以上のネットワーク間での複数のアドレス・アクセスを可能にする無線通信装置であって、
ユーザ機器（ＵＥ）に関連するホーム・エージェントへのプロキシ・モバイル・インターネット・プロトコル（ＰＭＩＰ）登録を用いて、前記ＵＥを、第１のネットワークへアタッチさせる手段と、
前記第１のネットワークの登録を維持しながら、前記ホーム・エージェントへのＰＭＩＰ登録を用いて、前記ＵＥを第２のネットワークへアタッチさせる手段と、
前記ＵＥが、前記第１のネットワークと前記第２のネットワークとの間で、シグナリングが生成されないモードであるアイドル・モードで移動できるようにする手段と、
前記ＵＥへ向けられたダウンリンク・データ・パケット、あるいは、前記ＵＥからのアップリンク・データ・パケットのうちの少なくとも１つであるデータの一部を受信する手段と、
前記第１のネットワークまたは前記第２のネットワークのうちの１つに存在する前記ＵＥへ、前記データの一部を送信する手段とを備え、
前記ＵＥが存在するネットワークは、前記ＵＥからの受信されたアクティブ・モード・インジケーション、あるいは、前記ＵＥからの受信されたページ応答のうちの少なくとも１つによって識別される無線通信装置。
［発明３０］
前記データの一部が、前記ダウンリンク・データ・パケットである場合さらに、
前記第１のネットワークおよび前記第２のネットワークにおいて前記ＵＥをページする手段と、
前記第１のネットワークまたは前記第２のネットワークのうちの１つに存在するＵＥから、前記ページ応答を受信する手段と、
前記ページ応答が受信されたネットワーク内のＵＥへ、前記ダウンリンク・データ・パケットを送信する手段と
を備える発明２９に記載の無線通信装置。
［発明３１］
前記データの一部がアップリンク・データ・パケットである場合さらに、
前記第１のネットワークまたは前記第２のネットワークのうちの１つに存在するＵＥから、前記アクティブ・モード・インジケーションを受信する手段と、
前記アクティブ・モード・インジケーションが受信されたネットワーク内のＵＥと通信する手段と
を備える発明２９に記載の無線通信装置。
［発明３２］
前記第１のネットワークは、３Ｇネットワークであり、前記第２ネットワークは、ＣＤＭＡ２０００ネットワークである発明２９に記載の無線通信装置。
［発明３３］
前記第１のネットワークおよび前記第２のネットワークは、３Ｇネットワーク、ＣＤＭＡ２０００ネットワーク、およびＵＭＴＳネットワークの組み合わせである発明２９に記載の無線通信装置。
［発明３４］
前記第１のネットワークおよび前記第２のネットワークへの前記ＵＥのアタッチメント、および、前記ホーム・エージェントへの登録に基づいて、追加のシグナリングなしで、前記第１のネットワークまたは前記第２のネットワークのうちの少なくとも１つ内でアイドル・モードにある前記ＵＥを、全体にわたってトラックする手段をさらに備える発明２９に記載の無線通信装置。
［発明３５］
前記アクティブ・モード・インジケーションまたは前記ページ応答のうちの少なくとも１つを受信することに基づいて、プロキシ・バインディング更新（ＰＢＵ）を前記ホーム・エージェントへ送信する手段をさらに備える発明２９に記載の無線通信装置。
［発明３６］
前記ＰＢＵは、前記ＵＥが存在しないネットワークに関するＰＭＩＰ登録を削除する発明３５に記載の無線通信装置。
［発明３７］
前記ＵＥからアイドル・モード・インジケーションを受信することに基づいて、前記ホーム・エージェントへＰＢＵを送信する手段をさらに備える発明３６に記載の無線通信装置。
［発明３８］
前記ＰＢＵは、前記ＵＥが存在しないネットワークに関するＰＭＩＰ登録を追加する発明３７に記載の無線通信装置。
［発明３９］
前記第１のネットワークおよび前記第２のネットワークは、３ＧＰＰアクセス・ネットワークあるいは非３ＧＰＰアクセス・ネットワークの少なくとも１つである発明２９に記載の無線通信装置。
［発明４０］
前記ＰＭＩＰプロトコルは、前記ホーム・エージェントとゲートウェイとの間で有効である発明３９に記載の無線通信装置。
［発明４１］
３ＧＰＰパケット・データ・ネットワーク・ゲートウェイ（ＰＤＮ ＧＷ）にＰＭＩＰホーム・エージェントが含まれる発明４０に記載の無線通信装置。
［発明４２］
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである発明４１に記載の無線通信装置。
［発明４３］
コンピュータ読取可能媒体を備えるコンピュータ・プログラム製品であって、
前記コンピュータ読取可能媒体は、
少なくとも１つのコンピュータに対して、ユーザ機器（ＵＥ）に関連するホーム・エージェントへのプロキシ・モバイル・インターネット・プロトコル（ＰＭＩＰ）登録を用いて、前記ＵＥを、第１のネットワークへアタッチさせるためのコードと、
前記少なくとも１つのコンピュータに対して、前記第１のネットワークの登録を維持しながら、前記ホーム・エージェントへのＰＭＩＰ登録を用いて、前記ＵＥを第２のネットワークへアタッチさせるためのコードと、
前記少なくとも１つのコンピュータに対して、前記ＵＥが、前記第１のネットワークと前記第２のネットワークとの間で、シグナリングが生成されないモードであるアイドル・モードで移動できるようにするためのコードと、
前記少なくとも１つのコンピュータに対して、前記ＵＥへ向けられたダウンリンク・データ・パケット、あるいは、前記ＵＥからのアップリンク・データ・パケットのうちの少なくとも１つであるデータの一部を受信させるためのコードと、
前記少なくとも１つのコンピュータに対して、前記第１のネットワークまたは前記第２のネットワークのうちの１つに存在する前記ＵＥへ、前記データの一部を送信させるためのコードとを備え、
前記ＵＥが存在するネットワークは、前記ＵＥからの受信されたアクティブ・モード・インジケーション、あるいは、前記ＵＥからの受信されたページ応答のうちの少なくとも１つによって識別されるコンピュータ・プログラム製品。
［発明４４］
前記コンピュータ読取可能媒体は、前記データの一部が、前記ダウンリンク・データ・パケットである場合さらに、
前記少なくとも１つのコンピュータに対して、前記第１のネットワークおよび前記第２のネットワークにおいて前記ＵＥをページさせるためのコードと、
前記少なくとも１つのコンピュータに対して、前記第１のネットワークまたは前記第２のネットワークのうちの１つに存在するＵＥから、前記ページ応答を受信させるためのコードと、
前記少なくとも１つのコンピュータに対して、前記ページ応答が受信されたネットワーク内のＵＥへ、前記ダウンリンク・データ・パケットを送信させるためのコードと
を備える発明４３に記載のコンピュータ・プログラム製品。
［発明４５］
前記コンピュータ読取可能媒体は、前記データの一部がアップリンク・データ・パケットである場合さらに、
前記少なくとも１つのコンピュータに対して、前記第１のネットワークまたは前記第２のネットワークのうちの１つに存在するＵＥから、前記アクティブ・モード・インジケーションを受信させるためのコードと、
前記少なくとも１つのコンピュータに対して、前記アクティブ・モード・インジケーションが受信されたネットワーク内のＵＥと通信させるためのコードと
を備える発明４３に記載のコンピュータ・プログラム製品。
［発明４６］
前記第１のネットワークは、３Ｇネットワークであり、前記第２ネットワークは、ＣＤＭＡ２０００ネットワークである発明４３に記載のコンピュータ・プログラム製品。
［発明４７］
前記第１のネットワークおよび前記第２のネットワークは、３Ｇネットワーク、ＣＤＭＡ２０００ネットワーク、およびＵＭＴＳネットワークの組み合わせである発明４３に記載のコンピュータ・プログラム製品。
［発明４８］
前記コンピュータ読取可能媒体はさらに、前記少なくとも１つのコンピュータに対して、前記第１のネットワークおよび前記第２のネットワークへの前記ＵＥのアタッチメント、および、前記ホーム・エージェントへの登録に基づいて、追加のシグナリングなしで、前記第１のネットワークまたは前記第２のネットワークのうちの少なくとも１つ内でアイドル・モードにある前記ＵＥを、全体にわたってトラックさせるためのコードをさらに備える発明４３に記載のコンピュータ・プログラム製品。
［発明４９］
前記コンピュータ読取可能媒体はさらに、前記少なくとも１つのコンピュータに対して、前記アクティブ・モード・インジケーションまたは前記ページ応答のうちの少なくとも１つを受信することに基づいて、プロキシ・バインディング更新（ＰＢＵ）を前記ホーム・エージェントへ送信させるためのコードを備える発明４３に記載のコンピュータ・プログラム製品。
［発明５０］
前記ＰＢＵは、前記ＵＥが存在しないネットワークに関するＰＭＩＰ登録を削除する発明４９に記載のコンピュータ・プログラム製品。
［発明５１］
前記コンピュータ読取可能媒体はさらに、前記少なくとも１つのコンピュータに対して、前記ＵＥからアイドル・モード・インジケーションを受信することに基づいて、前記ホーム・エージェントへＰＢＵを送信させるためのコードを備える発明５０に記載のコンピュータ・プログラム製品。
［発明５２］
前記ＰＢＵは、前記ＵＥが存在しないネットワークに関するＰＭＩＰ登録を追加する発明５１に記載のコンピュータ・プログラム製品。
［発明５３］
前記第１のネットワークおよび前記第２のネットワークは、３ＧＰＰアクセス・ネットワークあるいは非３ＧＰＰアクセス・ネットワークの少なくとも１つである発明４３に記載のコンピュータ・プログラム製品。
［発明５４］
前記ＰＭＩＰプロトコルは、前記ホーム・エージェントとゲートウェイとの間で有効である発明５３に記載のコンピュータ・プログラム製品。
［発明５５］
３ＧＰＰパケット・データ・ネットワーク・ゲートウェイ（ＰＤＮ ＧＷ）にＰＭＩＰホーム・エージェントが含まれる発明５４に記載のコンピュータ・プログラム製品。
［発明５６］
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである発明５５に記載のコンピュータ・プログラム製品。
［発明５７］
２またはそれ以上のネットワークにわたるアイドル・モード移動を容易にする方法であって、
第１のネットワークにアタッチするための第１のプロキシ・モバイル・インターネット・プロトコル（ＰＭＩＰ）要求を、前記第１のネットワーク内のユーザ機器から受信することと、
前記第１のＰＭＩＰ要求に基づいて、前記第１のネットワーク・ゲートウェイＩＰアドレスを用いて、前記ＵＥをホーム・エージェントに登録することと、
第２のネットワークにアタッチするための第２のＰＭＩＰ要求を、前記第２のネットワーク内のユーザ機器から受信することと、
前記第２のＰＭＩＰ要求に基づいて、前記第２のネットワーク・ゲートウェイＩＰアドレスを用いて、前記ＵＥを前記ホーム・エージェントに登録することと、
アイドル・モード中のＵＥの再登録、あるいは、アイドル・モード中のＵＥの登録解除のうちの少なくとも１つを実行することなく、前記第１のネットワークと前記第２のネットワークとの間で前記ＵＥがアイドル・モードを実行できるようにするために、前記第１のネットワーク・ゲートウェイＩＰアドレスまたは前記第２のネットワーク・ゲートウェイＩＰアドレスのうちの少なくとも１つを利用することと
を備える方法。
［発明５８］
前記第１のネットワーク内の第１のネットワーク・ゲートウェイ、および、前記第２のネットワーク内の第２のネットワーク・ゲートウェイへ、データの一部を通信することをさらに備え、
前記データの一部は、前記ＵＥへ向けられたダウンリンク・パケットが受信されると通信される発明５７に記載の方法。
［発明５９］
前記第１のネットワーク・ゲートウェイＩＰアドレスと、前記第２のネットワーク・ゲートウェイＩＰアドレスとを、前記ホーム・エージェント内のバインディング・キャッシュ内に格納することをさらに備える発明５８に記載の方法。
［発明６０］
ソース・アドレスを備えたプロキシ・バインディング更新（ＰＢＵ）を受信することをさらに備え、
前記ＰＢＵは、前記ＰＢＵのソース・アドレスが、前記第２のネットワーク・ゲートウェイＩＰアドレスからのものである場合、前記ホーム・エージェント内の第１のネットワーク・ゲートウェイＩＰアドレスを削除すること、あるいは、前記ＰＢＵのソース・アドレスが、前記第１のネットワーク・ゲートウェイＩＰアドレスからのものである場合、前記ホーム・エージェント内の第２のネットワーク・ゲートウェイＩＰアドレスを削除すること、のうちの１つを提供する発明５９に記載の方法。
［発明６１］
前記ＰＢＵは、前記ＰＢＵのソース・アドレスを除いて、前記ホーム・エージェントのバインディング・キャッシュ内のネットワーク・ゲートウェイＩＰアドレスを削除するワイルド・カード削除命令を含む発明６０に記載の方法。
［発明６２］
アップリンク・データの一部、あるいは、ダウンリンク・データの一部のうちの少なくとも１つを、前記ＰＢＵによって定義されたネットワーク・ゲートウェイＩＰアドレスを用いて、前記ホーム・エージェントと前記ＵＥとの間で通信することをさらに備える発明６１に記載の方法。
［発明６３］
前記ＵＥから、アイドル・モード・インジケーションを受信することと、
前記アイドル・モード・インジケーションを受信すると、前記ＰＢＵのソース・アドレスが前記第２のネットワーク・ゲートウェイＩＰアドレスからのものである場合、前記ホーム・エージェント内の第１のネットワーク・ゲートウェイＩＰアドレス、あるいは、前記ＰＢＵのソース・アドレスが前記第１のネットワーク・ゲートウェイＩＰアドレスからのものである場合、前記ホーム・エージェント内の第２のネットワーク・ゲートウェイＩＰアドレス、のうちの少なくとも１つを前記ホーム・エージェントへ追加することと
をさらに備える発明６２に記載の方法。
［発明６４］
前記第１のネットワークは、３Ｇネットワークであり、前記第２ネットワークは、ＣＤＭＡ２０００ネットワークである発明５７に記載の方法。
［発明６５］
前記第１のネットワークおよび前記第２のネットワークは、３Ｇネットワーク、ＣＤＭＡ２０００ネットワーク、およびＵＭＴＳネットワークの組み合わせである発明５７に記載の方法。
［発明６６］
前記第１のネットワークは、ＵＭＴＳネットワークであり、前記第２のネットワークは、ＣＤＭＡ２０００ネットワークである発明５７に記載の方法。
［発明６７］
前記第１のネットワークおよび前記第２のネットワークは、３ＧＰＰアクセス・ネットワークあるいは非３ＧＰＰアクセス・ネットワークのうちの少なくとも１つである発明５７に記載の方法。
［発明６８］
ゲートウェイとホーム・エージェントとの間でＰＭＩＰプロトコルが有効とされる発明６７に記載の方法。
［発明６９］
３ＧＰＰパケット・データ・ネットワーク・ゲートウェイ（ＰＤＮ ＧＷ）にＰＭＩＰホーム・エージェントが含まれる発明６８に記載の方法。
［発明７０］
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである発明６９に記載の方法。
［発明７１］
無線通信装置であって、
第１のネットワークにアタッチするための第１のプロキシ・モバイル・インターネット・プロトコル（ＰＭＩＰ）要求を、前記第１のネットワーク内のユーザ機器から受信し、
前記第１のＰＭＩＰ要求に基づいて、前記第１のネットワーク・ゲートウェイＩＰアドレスを用いて、前記ＵＥをホーム・エージェントに登録し、
第２のネットワークにアタッチするための第２のＰＭＩＰ要求を、前記第２のネットワーク内のユーザ機器から受信し、
前記第２のＰＭＩＰ要求に基づいて、前記第２のネットワーク・ゲートウェイＩＰアドレスを用いて、前記ＵＥを前記ホーム・エージェントに登録し、
アイドル・モード中のＵＥの再登録、あるいは、アイドル・モード中のＵＥの登録解除のうちの少なくとも１つを実行することなく、前記第１のネットワークと前記第２のネットワークとの間で前記ＵＥがアイドル・モードを実行できるようにするために、前記第１のネットワーク・ゲートウェイＩＰアドレスまたは前記第２のネットワーク・ゲートウェイＩＰアドレスのうちの少なくとも１つを利用する
ように構成された少なくとも１つのプロセッサと、
前記少なくとも１つのプロセッサに接続されたメモリと
を備える無線通信装置。
［発明７２］
前記第１のネットワーク内の第１のネットワーク・ゲートウェイ、および、前記第２のネットワーク内の第２のネットワーク・ゲートウェイへ、データの一部を通信するように構成された少なくとも１つのプロセッサをさらに備え、
前記データの一部は、前記ＵＥへ向けられたダウンリンク・パケットが受信されると通信される発明７１に記載の無線通信装置。
［発明７３］
前記第１のネットワーク・ゲートウェイＩＰアドレスと、前記第２のネットワーク・ゲートウェイＩＰアドレスとを、前記ホーム・エージェント内のバインディング・キャッシュ内に格納するように構成された少なくとも１つのプロセッサをさらに備える発明７１に記載の無線通信装置。
［発明７４］
ソース・アドレスを備えたプロキシ・バインディング更新（ＰＢＵ）を受信するように構成された少なくとも１つのプロセッサをさらに備え、
前記ＰＢＵは、前記ＰＢＵのソース・アドレスが、前記第２のネットワーク・ゲートウェイＩＰアドレスからのものである場合、前記ホーム・エージェント内の第１のネットワーク・ゲートウェイＩＰアドレスを削除すること、あるいは、前記ＰＢＵのソース・アドレスが、前記第１のネットワーク・ゲートウェイＩＰアドレスからのものである場合、前記ホーム・エージェント内の第２のネットワーク・ゲートウェイＩＰアドレスを削除すること、のうちの１つを提供する発明７３に記載の無線通信装置。
［発明７５］
前記ＰＢＵは、前記ＰＢＵのソース・アドレスを除いて、前記ホーム・エージェントのバインディング・キャッシュ内のネットワーク・ゲートウェイＩＰアドレスを削除するワイルド・カード削除命令を含む発明７４に記載の無線通信装置。
［発明７６］
アップリンク・データの一部、あるいは、ダウンリンク・データの一部のうちの少なくとも１つを、前記ＰＢＵによって定義されたネットワーク・ゲートウェイＩＰアドレスを用いて、前記ホーム・エージェントと前記ＵＥとの間で通信するように構成された少なくとも１つのプロセッサをさらに備える発明７５に記載の無線通信装置。
［発明７７］
前記ＵＥから、アイドル・モード・インジケーションを受信し、前記アイドル・モード・インジケーションを受信すると、前記ＰＢＵのソース・アドレスが前記第２のネットワーク・ゲートウェイＩＰアドレスからのものである場合、前記ホーム・エージェント内の第１のネットワーク・ゲートウェイＩＰアドレス、あるいは、前記ＰＢＵのソース・アドレスが前記第１のネットワーク・ゲートウェイＩＰアドレスからのものである場合、前記ホーム・エージェント内の第２のネットワーク・ゲートウェイＩＰアドレス、のうちの少なくとも１つを前記ホーム・エージェントへ追加するように構成された少なくとも１つのプロセッサをさらに備える発明７６に記載の無線通信装置。
［発明７８］
前記第１のネットワークは、３Ｇネットワークであり、前記第２ネットワークは、ＣＤＭＡ２０００ネットワークである発明７１に記載の無線通信装置。
［発明７９］
前記第１のネットワークおよび前記第２のネットワークは、３Ｇネットワーク、ＣＤＭＡ２０００ネットワーク、およびＵＭＴＳネットワークの組み合わせである発明７１に記載の無線通信装置。
［発明８０］
前記第１のネットワークは、ＵＭＴＳネットワークであり、前記第２のネットワークは、ＣＤＭＡ２０００ネットワークである発明７１に記載の無線通信装置。
［発明８１］
前記第１のネットワークおよび前記第２のネットワークは、３ＧＰＰアクセス・ネットワークあるいは非３ＧＰＰアクセス・ネットワークのうちの少なくとも１つである発明７１に記載の無線通信装置。
［発明８２］
ゲートウェイとホーム・エージェントとの間でＰＭＩＰプロトコルが有効とされる発明７１に記載の無線通信装置。
［発明８３］
３ＧＰＰパケット・データ・ネットワーク・ゲートウェイ（ＰＤＮ ＧＷ）にＰＭＩＰホーム・エージェントが含まれる発明７１に記載の無線通信装置。
［発明８４］
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである発明８３に記載の無線通信装置。
［発明８５］
２またはそれ以上のネットワークにわたるアイドル・モード移動を提供する無線通信装置であって、
第１のネットワークにアタッチするための第１のプロキシ・モバイル・インターネット・プロトコル（ＰＭＩＰ）要求を、前記第１のネットワーク内のユーザ機器から受信する手段と、
前記第１のＰＭＩＰ要求に基づいて、前記第１のネットワーク・ゲートウェイＩＰアドレスを用いて、前記ＵＥをホーム・エージェントに登録する手段と、
第２のネットワークにアタッチするための第２のＰＭＩＰ要求を、前記第２のネットワーク内のユーザ機器から受信する手段と、
前記第２のＰＭＩＰ要求に基づいて、前記第２のネットワーク・ゲートウェイＩＰアドレスを用いて、前記ＵＥを前記ホーム・エージェントに登録する手段と、
アイドル・モード中のＵＥの再登録、あるいは、アイドル・モード中のＵＥの登録解除のうちの少なくとも１つを実行することなく、前記第１のネットワークと前記第２のネットワークとの間で前記ＵＥがアイドル・モードを実行できるようにするために、前記第１のネットワーク・ゲートウェイＩＰアドレスまたは前記第２のネットワーク・ゲートウェイＩＰアドレスのうちの少なくとも１つを利用する手段と
を備える無線通信装置。
［発明８６］
前記第１のネットワーク内の第１のネットワーク・ゲートウェイ、および、前記第２のネットワーク内の第２のネットワーク・ゲートウェイへ、データの一部を通信する手段をさらに備え、
前記データの一部は、前記ＵＥへ向けられたダウンリンク・パケットが受信されると通信される発明８５に記載の無線通信装置。
［発明８７］
前記第１のネットワーク・ゲートウェイＩＰアドレスと、前記第２のネットワーク・ゲートウェイＩＰアドレスとを、前記ホーム・エージェント内のバインディング・キャッシュ内に格納する手段をさらに備える発明８６に記載の無線通信装置。
［発明８８］
ソース・アドレスを備えたプロキシ・バインディング更新（ＰＢＵ）を受信する手段をさらに備え、
前記ＰＢＵは、前記ＰＢＵのソース・アドレスが、前記第２のネットワーク・ゲートウェイＩＰアドレスからのものである場合、前記ホーム・エージェント内の第１のネットワーク・ゲートウェイＩＰアドレスを削除すること、あるいは、前記ＰＢＵのソース・アドレスが、前記第１のネットワーク・ゲートウェイＩＰアドレスからのものである場合、前記ホーム・エージェント内の第２のネットワーク・ゲートウェイＩＰアドレスを削除すること、のうちの１つを提供する発明８７に記載の無線通信装置。
［発明８９］
前記ＰＢＵは、前記ＰＢＵのソース・アドレスを除いて、前記ホーム・エージェントのバインディング・キャッシュ内のネットワーク・ゲートウェイＩＰアドレスを削除するワイルド・カード削除命令を含む発明８８に記載の無線通信装置。
［発明９０］
アップリンク・データの一部、あるいは、ダウンリンク・データの一部のうちの少なくとも１つを、前記ＰＢＵによって定義されたネットワーク・ゲートウェイＩＰアドレスを用いて、前記ホーム・エージェントと前記ＵＥとの間で通信することをさらに備える発明８９に記載の無線通信装置。
［発明９１］
前記ＵＥから、アイドル・モード・インジケーションを受信する手段と、
前記アイドル・モード・インジケーションを受信すると、前記ＰＢＵのソース・アドレスが前記第２のネットワーク・ゲートウェイＩＰアドレスからのものである場合、前記ホーム・エージェント内の第１のネットワーク・ゲートウェイＩＰアドレス、あるいは、前記ＰＢＵのソース・アドレスが前記第１のネットワーク・ゲートウェイＩＰアドレスからのものである場合、前記ホーム・エージェント内の第２のネットワーク・ゲートウェイＩＰアドレス、のうちの少なくとも１つを前記ホーム・エージェントへ追加する手段と
をさらに備える発明８５に記載の無線通信装置。
［発明９２］
前記第１のネットワークは、３Ｇネットワークであり、前記第２ネットワークは、ＣＤＭＡ２０００ネットワークである発明８５に記載の無線通信装置。
［発明９３］
前記第１のネットワークおよび前記第２のネットワークは、３Ｇネットワーク、ＣＤＭＡ２０００ネットワーク、およびＵＭＴＳネットワークの組み合わせである発明８５に記載の無線通信装置。
［発明９４］
前記第１のネットワークは、ＵＭＴＳネットワークであり、前記第２のネットワークは、ＣＤＭＡ２０００ネットワークである発明８５に記載の無線通信装置。
［発明９５］
前記第１のネットワークおよび前記第２のネットワークは、３ＧＰＰアクセス・ネットワークあるいは非３ＧＰＰアクセス・ネットワークのうちの少なくとも１つである発明８５に記載の無線通信装置。
［発明９６］
ゲートウェイとホーム・エージェントとの間でＰＭＩＰプロトコルが有効とされる発明９５に記載の無線通信装置。
［発明９７］
３ＧＰＰパケット・データ・ネットワーク・ゲートウェイ（ＰＤＮ ＧＷ）にＰＭＩＰホーム・エージェントが含まれる発明９６に記載の無線通信装置。
［発明９８］
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである発明９７に記載の無線通信装置。
［発明９９］
コンピュータ読取可能媒体を備えたコンピュータ・プログラム製品であって、
前記コンピュータ読取可能媒体は、
少なくとも１つのコンピュータに対して、第１のネットワークにアタッチするための第１のプロキシ・モバイル・インターネット・プロトコル（ＰＭＩＰ）要求を、前記第１のネットワーク内のユーザ機器から受信させるためのコードと、
少なくとも１つのコンピュータに対して、前記第１のＰＭＩＰ要求に基づいて、前記第１のネットワーク・ゲートウェイＩＰアドレスを用いて、前記ＵＥをホーム・エージェントに登録させるためのコードと、
少なくとも１つのコンピュータに対して、第２のネットワークにアタッチするための第２のＰＭＩＰ要求を、前記第２のネットワーク内のユーザ機器から受信させるためのコードと、
少なくとも１つのコンピュータに対して、前記第２のＰＭＩＰ要求に基づいて、前記第２のネットワーク・ゲートウェイＩＰアドレスを用いて、前記ＵＥを前記ホーム・エージェントに登録させるためのコードと、
少なくとも１つのコンピュータに対して、アイドル・モード中のＵＥの再登録、あるいは、アイドル・モード中のＵＥの登録解除のうちの少なくとも１つを実行することなく、前記第１のネットワークと前記第２のネットワークとの間で前記ＵＥがアイドル・モードを実行できるようにするために、前記第１のネットワーク・ゲートウェイＩＰアドレスまたは前記第２のネットワーク・ゲートウェイＩＰアドレスのうちの少なくとも１つを利用させるためのコードと
を備えるコンピュータ・プログラム製品。
［発明１００］
前記コンピュータ読取可能媒体はさらに、前記少なくとも１つのコンピュータに対して、前記第１のネットワーク内の第１のネットワーク・ゲートウェイ、および、前記第２のネットワーク内の第２のネットワーク・ゲートウェイへ、データの一部を通信させるためのコードを備え、
前記データの一部は、前記ＵＥへ向けられたダウンリンク・パケットが受信されると通信される発明９９に記載のコンピュータ・プログラム製品。
［発明１０１］
前記コンピュータ読取可能媒体はさらに、前記少なくとも１つのコンピュータに対して、前記第１のネットワーク・ゲートウェイＩＰアドレスと、前記第２のネットワーク・ゲートウェイＩＰアドレスとを、前記ホーム・エージェント内のバインディング・キャッシュ内に格納させるためのコードを備える発明１００に記載のコンピュータ・プログラム製品。
［発明１０２］
前記コンピュータ読取可能媒体はさらに、前記少なくとも１つのコンピュータに対して、ソース・アドレスを備えたプロキシ・バインディング更新（ＰＢＵ）を受信させるためのコードを備え、
前記ＰＢＵは、前記ＰＢＵのソース・アドレスが、前記第２のネットワーク・ゲートウェイＩＰアドレスからのものである場合、前記ホーム・エージェント内の第１のネットワーク・ゲートウェイＩＰアドレスを削除すること、あるいは、前記ＰＢＵのソース・アドレスが、前記第１のネットワーク・ゲートウェイＩＰアドレスからのものである場合、前記ホーム・エージェント内の第２のネットワーク・ゲートウェイＩＰアドレスを削除すること、のうちの１つを提供する発明１０１に記載のコンピュータ・プログラム製品。
［発明１０３］
前記ＰＢＵは、前記ＰＢＵのソース・アドレスを除いて、前記ホーム・エージェントのバインディング・キャッシュ内のネットワーク・ゲートウェイＩＰアドレスを削除するワイルド・カード削除命令を含む発明１０２に記載のコンピュータ・プログラム製品。
［発明１０４］
前記コンピュータ読取可能媒体はさらに、前記少なくとも１つのコンピュータに対して、アップリンク・データの一部、あるいは、ダウンリンク・データの一部のうちの少なくとも１つを、前記ＰＢＵによって定義されたネットワーク・ゲートウェイＩＰアドレスを用いて、前記ホーム・エージェントと前記ＵＥとの間で通信させるためのコードを備える発明１０３に記載のコンピュータ・プログラム製品。
［発明１０５］
前記コンピュータ読取可能媒体はさらに、
前記少なくとも１つのコンピュータに対して、前記ＵＥから、アイドル・モード・インジケーションを受信させるためのコードと、
前記アイドル・モード・インジケーションを受信すると、前記ＰＢＵのソース・アドレスが前記第２のネットワーク・ゲートウェイＩＰアドレスからのものである場合、前記ホーム・エージェント内の第１のネットワーク・ゲートウェイＩＰアドレス、あるいは、前記ＰＢＵのソース・アドレスが前記第１のネットワーク・ゲートウェイＩＰアドレスからのものである場合、前記ホーム・エージェント内の第２のネットワーク・ゲートウェイＩＰアドレス、のうちの少なくとも１つを、前記少なくとも１つのコンピュータに対して、前記ホーム・エージェントへ追加させるためのコードと
を備える発明９９に記載のコンピュータ・プログラム製品。
［発明１０６］
前記第１のネットワークは、３Ｇネットワークであり、前記第２ネットワークは、ＣＤＭＡ２０００ネットワークである発明９９に記載のコンピュータ・プログラム製品。
［発明１０７］
前記第１のネットワークおよび前記第２のネットワークは、３Ｇネットワーク、ＣＤＭＡ２０００ネットワーク、およびＵＭＴＳネットワークの組み合わせである発明９９に記載のコンピュータ・プログラム製品。
［発明１０８］
前記第１のネットワークは、ＵＭＴＳネットワークであり、前記第２のネットワークは、ＣＤＭＡ２０００ネットワークである発明９９に記載のコンピュータ・プログラム製品。
［発明１０９］
前記第１のネットワークおよび前記第２のネットワークは、３ＧＰＰアクセス・ネットワークあるいは非３ＧＰＰアクセス・ネットワークのうちの少なくとも１つである発明９９に記載のコンピュータ・プログラム製品。
［発明１１０］
ゲートウェイとホーム・エージェントとの間でＰＭＩＰプロトコルが有効とされる発明１０９に記載のコンピュータ・プログラム製品。
［発明１１１］
３ＧＰＰパケット・データ・ネットワーク・ゲートウェイ（ＰＤＮ ＧＷ）にＰＭＩＰホーム・エージェントが含まれる発明１１０に記載のコンピュータ・プログラム製品。
［発明１１２］
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである発明１１１に記載のコンピュータ・プログラム製品。
【図１】
0005474790.tif 000002
【図２】
0005474790.tif 000003
【図３】
0005474790.tif 000004
【図４】
0005474790.tif 000005
【図５】
0005474790.tif 000006
【図６】
0005474790.tif 000007
【図７】
0005474790.tif 000008
【図８】
0005474790.tif 000009
【図９】
0005474790.tif 000010